(57)【要約】  本発明の実施例は、無線ＬＡＮシステムにおいてＳＴＡ（Ｓｔａｔｉｏｎ）が媒体（ｍｅｄｉｕｍ）にアクセスを行う方法であって、タイムスタンプを含む所定のフレームを受信するステップと、前記所定のフレームに含まれたＲＡＷ割当て（Ｒｅｓｔｒｉｃｔｅｄ  Ａｃｃｅｓｓ  Ｗｉｎｄｏｗ  Ａｓｓｉｇｎｍｅｎｔ）フィールドを確認するステップと、前記ＳＴＡが前記ＲＡＷ割当てフィールドに関連したＲＡＷグループに属する場合、前記ＲＡＷ割当てフィールドのサブフィールドに基づいて決定されたスロットでアクセスを行うステップと、を含み、前記ＲＡＷグループに属するか否かは、前記ＳＴＡのＡＩＤ（Ａｓｓｏｃｉａｔｉｏｎ  Ｉｄｅｎｔｉｆｉｅｒ）がＡＩＤ範囲に含まれるか否かによって決定され、前記ＲＡＷ割当てフィールドは、前記ＡＩＤ範囲がＴＩＭビットマップによって決定されるか否かを示すサブフィールドを含む、アクセス実行方法である。【選択図】図１７
2016521039.tif 000002
【特許請求の範囲】
【請求項１】
無線ＬＡＮシステムにおいてＳＴＡ（Ｓｔａｔｉｏｎ）が媒体（ｍｅｄｉｕｍ）にアクセスを実行する方法であって、
タイムスタンプを含む所定のフレームを受信するステップと、
前記所定のフレームに含まれたＲＡＷ割当て（Ｒｅｓｔｒｉｃｔｅｄ  Ａｃｃｅｓｓ  Ｗｉｎｄｏｗ  Ａｓｓｉｇｎｍｅｎｔ）フィールドを確認するステップと、
前記ＳＴＡが前記ＲＡＷ割当てフィールドに関連したＲＡＷグループに属する場合、前記ＲＡＷ割当てフィールドのサブフィールドに基づいて決定されたスロットでアクセスを行うステップと、
を含み、
前記ＲＡＷグループに属するか否かは、前記ＳＴＡのＡＩＤ（Ａｓｓｏｃｉａｔｉｏｎ  Ｉｄｅｎｔｉｆｉｅｒ）がＡＩＤ範囲に含まれるか否かによって決定され、
前記ＲＡＷ割当てフィールドは、前記ＡＩＤ範囲がＴＩＭビットマップによって決定されるか否かを示すサブフィールドを含む、アクセス実行方法。
【請求項２】
前記ＲＡＷ割当てフィールドが前記ＲＰＳ要素の最初のＲＡＷ割当てフィールドであり、前記ＡＩＤ範囲がＴＩＭビットマップによって決定されるか否かを示すサブフィールドが１に設定された場合、前記ＡＩＤの範囲は、ＴＩＭビットマップによって決定される、請求項１に記載のアクセス実行方法。
【請求項３】
前記ＡＩＤの範囲は、前記所定のフレームの全てのＴＩＭビットマップのＡＩＤ範囲と同一に設定される、請求項２に記載のアクセス実行方法。
【請求項４】
前記ＡＩＤ範囲がＴＩＭビットマップによって決定されるか否かを示すサブフィールドは、同一グループ指示（Ｓａｍｅ  Ｇｒｏｕｐ  Ｉｎｄｉｃａｔｉｏｎ）サブフィールドである、請求項１に記載のアクセス実行方法。
【請求項５】
前記ＲＡＷ割当てフィールドは、ＲＡＷグループサブフィールドを含まない、請求項２に記載のアクセス実行方法。
【請求項６】
前記ＲＡＷ割当てフィールドが前記ＲＰＳ要素の最初のＲＡＷ割当てフィールドであり、前記ＡＩＤ範囲がＴＩＭビットマップによって決定されるか否かを示すサブフィールドが０に設定された場合、前記ＡＩＤの範囲は、ＲＡＷグループフィールドによって決定される、請求項１に記載のアクセス実行方法。
【請求項７】
前記ＡＩＤ範囲がＴＩＭビットマップによって決定されるか否かを示すサブフィールドと同一のサブフィールドに含まれたオプション（Ｏｐｔｉｏｎｓ）値は、０に設定されている、請求項１に記載のアクセス実行方法。
【請求項８】
前記ＡＩＤ範囲に含まれるＳＴＡは、前記ＴＩＭビットマップでページされなくてもアクセスが許容される、請求項７に記載のアクセス実行方法。
【請求項９】
前記ＴＩＭビットマップは、前記所定のフレームに含まれている、請求項１に記載のアクセス実行方法。
【請求項１０】
前記所定のフレームは、ビーコンフレーム又はショート（ｓｈｏｒｔ）ビーコンフレームのいずれかである、請求項１に記載のアクセス実行方法。
【請求項１１】
前記ＲＡＷ割当てフィールドが前記ＲＰＳ要素の二番目以降のＲＡＷ割当てフィールドであり、同一グループ指示が１に設定された場合、前記ＲＡＷ割当てフィールドは、ＲＡＷグループフィールドを含まない、請求項１に記載のアクセス実行方法。
【請求項１２】
前記ＲＡＷ割当てフィールドは、ＲＰＳ（ＲＡＷ  Ｐａｒａｍｅｔｅｒ  Ｓｅｔ）要素（ｅｌｅｍｅｎｔ）に含まれている、請求項１に記載のアクセス実行方法。
【請求項１３】
前記ＲＰＳ要素は、ＲＡＷ割当てフィールドを一つ以上含む、請求項１に記載のアクセス実行方法。
【請求項１４】
無線通信システムにおいて媒体（ｍｅｄｉｕｍ）にアクセスを実行するＳＴＡ（Ｓｔａｔｉｏｎ）装置であって、
送受信モジュールと、
プロセッサと、
を備え、
前記プロセッサは、タイムスタンプを含む所定のフレームを受信し、前記所定のフレームに含まれたＲＡＷ割当て（Ｒｅｓｔｒｉｃｔｅｄ  Ａｃｃｅｓｓ  Ｗｉｎｄｏｗ  Ａｓｓｉｇｎｍｅｎｔ）フィールドを確認し、前記ＳＴＡが前記ＲＡＷ割当てフィールドに関連したＲＡＷグループに属する場合、前記ＲＡＷ割当てフィールドのサブフィールドに基づいて決定されたスロットでアクセスを行い、
前記ＲＡＷグループに属するか否かは、前記ＳＴＡのＡＩＤ（Ａｓｓｏｃｉａｔｉｏｎ  Ｉｄｅｎｔｉｆｉｅｒ）がＡＩＤ範囲に含まれるか否かによって決定され、前記ＲＡＷ割当てフィールドは、前記ＡＩＤ範囲がＴＩＭビットマップによって決定されるか否かを示すサブフィールドを含む、ＳＴＡ装置。
【発明の詳細な説明】
【技術分野】
【０００１】
以下の説明は、無線通信システムに関し、特に、無線ＬＡＮシステムにおいてアクセスする方法及び装置に関する。
【背景技術】
【０００２】
近年、情報通信技術の発展に伴って様々な無線通信技術が開発されている。その中でも無線ＬＡＮ（ＷＬＡＮ）は、無線周波数技術に基づいて個人携帯用情報端末機（Ｐｅｒｓｏｎａｌ  Ｄｉｇｉｔａｌ  Ａｓｓｉｓｔａｎｔ；ＰＤＡ）、ラップトップコンピュータ、携帯用マルチメディアプレーヤー（Ｐｏｒｔａｂｌｅ  Ｍｕｌｔｉｍｅｄｉａ  Ｐｌａｙｅｒ；ＰＭＰ）などのような携帯用端末機を用いて家庭、企業又は特定サービス提供地域において無線でインターネットにアクセスできるようにする技術である。
【０００３】
無線ＬＡＮで脆弱性とされてきた通信速度の限界を克服するために、最近の技術標準では、ネットワークの速度と信頼性を増大させるとともに無線ネットワークの運営距離を拡張したシステムを導入している。例えば、ＩＥＥＥ ８０２．１１ｎでは、データ処理速度が最大５４０Ｍｂｐｓ以上である高処理率（Ｈｉｇｈ  Ｔｈｒｏｕｇｈｐｕｔ；ＨＴ）を支援し、送信エラーを最小化し、データ速度を最適化するために送信端及び受信端の両方に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術の適用が導入された。
【０００４】
次世代通信技術としてＭ２Ｍ（Ｍａｃｈｉｎｅ−ｔｏ−Ｍａｃｈｉｎｅ）通信技術が議論されている。ＩＥＥＥ ８０２．１１ ＷＬＡＮシステムでもＭ２Ｍ通信を支援するための技術標準がＩＥＥＥ ８０２．１１ａｈとして開発されている。Ｍ２Ｍ通信では、数多くの機器が存在する環境でたまに少量のデータを低速で通信するシナリオを考慮することができる。
【０００５】
無線ＬＡＮシステムにおける通信は、全機器間に共有される媒体（ｍｅｄｉｕｍ）で行われる。Ｍ２Ｍ通信のように機器の個数が増加する場合、不要な電力消費及び干渉発生を低減するために、チャネルアクセスメカニズムをより効率的に改善する必要がある。
【発明の概要】
【発明が解決しようとする課題】
【０００６】
本発明は、制限されたアクセスウィンドウ（Ｒｅｓｔｒｉｃｔｅｄ  Ａｃｃｅｓｓ  Ｗｉｎｄｏｗ；ＲＡＷ）に割り当てられるＡＩＤ（Ａｓｓｏｃｉａｔｉｏｎ  ＩＤ）の範囲がＴＩＭ（Ｔｒａｆｆｉｃ  Ｉｎｄｉｃａｔｉｏｎ  Ｍａｐ）におけるＡＩＤ範囲と同一である場合に、このような状況の指示（ｉｎｄｉｃａｔｉｏｎ)、フィールド構成などに関する。
【０００７】
本発明で遂げようとする技術的課題は以上に言及した技術的課題に制限されず、言及していない他の技術的課題は、以降の記載から、本発明の属する技術の分野における通常の知識を有する者に明確に理解されるであろう。
【課題を解決するための手段】
【０００８】
本発明の第１の技術的な側面は、無線ＬＡＮシステムにおいてＳＴＡ（Ｓｔａｔｉｏｎ）が媒体（ｍｅｄｉｕｍ）にアクセスを行う方法であって、タイムスタンプを含む所定のフレームを受信するステップと、前記所定のフレームに含まれたＲＡＷ割当て（Ｒｅｓｔｒｉｃｔｅｄ  Ａｃｃｅｓｓ  Ｗｉｎｄｏｗ  Ａｓｓｉｇｎｍｅｎｔ）フィールドを確認するステップと、前記ＳＴＡが前記ＲＡＷ割当てフィールドに関連したＲＡＷグループに属する場合、前記ＲＡＷ割当てフィールドのサブフィールドに基づいて決定されたスロットでアクセスを行うステップと、を含み、前記ＲＡＷグループに属するか否かは、前記ＳＴＡのＡＩＤ（Ａｓｓｏｃｉａｔｉｏｎ  Ｉｄｅｎｔｉｆｉｅｒ）がＡＩＤ範囲に含まれるか否かによって決定され、前記ＲＡＷ割当てフィールドは、前記ＡＩＤ範囲がＴＩＭビットマップによって決定されるか否かを示すサブフィールドを含む、アクセス実行方法である。
【０００９】
本発明の第２の技術的な側面は、無線通信システムにおいて媒体（ｍｅｄｉｕｍ）にアクセスを行うＳＴＡ（Ｓｔａｔｉｏｎ）装置であって、送受信モジュールと、プロセッサと、を備え、前記プロセッサは、タイムスタンプを含む所定のフレームを受信し、前記所定のフレームに含まれたＲＡＷ割当て（Ｒｅｓｔｒｉｃｔｅｄ  Ａｃｃｅｓｓ  Ｗｉｎｄｏｗ  Ａｓｓｉｇｎｍｅｎｔ）フィールドを確認し、前記ＳＴＡが前記ＲＡＷ割当てフィールドに関連したＲＡＷグループに属する場合、前記ＲＡＷ割当てフィールドのサブフィールドに基づいて決定されたスロットでアクセスを行い、前記ＲＡＷグループに属するか否かは、前記ＳＴＡのＡＩＤ（Ａｓｓｏｃｉａｔｉｏｎ  Ｉｄｅｎｔｉｆｉｅｒ）がＡＩＤ範囲に含まれるか否かによって決定され、前記ＲＡＷ割当てフィールドは、前記ＡＩＤ範囲がＴＩＭビットマップによって決定されるか否かを示すサブフィールドを含む、ＳＴＡ装置である。
【００１０】
上記の本発明の第１及び第２の技術的な側面は、次の事項を一つ以上含むことができる。
【００１１】
前記ＲＡＷ割当てフィールドが前記ＲＰＳ要素の最初のＲＡＷ割当てフィールドであり、同一グループ指示が０に設定された場合、前記ＡＩＤの範囲は、ＲＡＷグループフィールドによって決定されてもよい。
【００１２】
前記同一グループ指示と同一のサブフィールドに含まれたオプション（Ｏｐｔｉｏｎｓ）値は、０に設定されていてもよい。
【００１３】
前記ＡＩＤ範囲に含まれるＳＴＡは、前記ＴＩＭビットマップでページされなくてもアクセスが許容されてもよい。
【００１４】
前記ＲＡＷ割当てフィールドが前記ＲＰＳ要素の最初のＲＡＷ割当てフィールドであり、同一グループ指示（Ｓａｍｅ  Ｇｒｏｕｐ  Ｉｎｄｉｃａｔｉｏｎ）が１に設定された場合、前記最初のＲＡＷ割当てフィールドは、ＲＡＷグループフィールドを含まなくてもよい。
【００１５】
前記ＴＩＭビットマップは前記所定のフレームに含まれていてもよい。
【００１６】
前記所定のフレームは、ビーコンフレーム又はショート（ｓｈｏｒｔ）ビーコンフレームのいずれか一つであってもよい。
【００１７】
前記ＲＡＷ割当てフィールドが前記ＲＰＳ要素の二番目以降のＲＡＷ割当てフィールドであり、同一グループ指示が１に設定された場合、前記ＲＡＷ割当てフィールドは、ＲＡＷグループフィールドを含まなくてもよい。
【００１８】
前記ＲＡＷ割当てフィールドは、ＲＰＳ（ＲＡＷ  Ｐａｒａｍｅｔｅｒ  Ｓｅｔ）要素（ｅｌｅｍｅｎｔ）に含まれていてもよい。
【００１９】
前記ＲＰＳ要素は、ＲＡＷ割当てフィールドを一つ以上含むことができる。
【発明の効果】
【００２０】
本発明によれば、ＲＡＷグループフィールドを省略することによって、ビーコンフレームの大きさを減らすことができる。
【００２１】
本発明で得られる効果は以上に言及した効果に制限されず、言及していない他の効果は、以降の記載から、本発明の属する技術の分野における通常の知識を有する者に明らかになるであろう。
【図面の簡単な説明】
【００２２】
【図１】本発明を適用できるＩＥＥＥ ８０２．１１システムの例示的な構造を示す図である。
【図２】本発明を適用できるＩＥＥＥ ８０２．１１システムの他の例示的な構造を示す図である。
【図３】本発明を適用できるＩＥＥＥ ８０２．１１システムの更に他の例示的な構造を示す図である。
【図４】無線ＬＡＮシステムの例示的な構造を示す図である。
【図５】無線ＬＡＮシステムにおけるリンクセットアップ過程を説明するための図である。
【図６】バックオフ過程を説明するための図である。
【図７】隠されたノード及び露出されたノードを説明するための図である。
【図８】ＲＴＳとＣＴＳを説明するための図である。
【図９】電力管理動作を説明するための図である。
【図１０】ＴＩＭを受信したＳＴＡの動作を詳しく説明するための図である。
【図１１】ＴＩＭを受信したＳＴＡの動作を詳しく説明するための図である。
【図１２】ＴＩＭを受信したＳＴＡの動作を詳しく説明するための図である。
【図１３】グループベースＡＩＤについて説明するための図である。
【図１４】ＲＡＷ及びＲＰＳ要素を説明するための図である。
【図１５】ＲＡＷ及びＲＰＳ要素を説明するための図である。
【図１６】ＲＡＷ及びＲＰＳ要素を説明するための図である。
【図１７】本発明の実施例１を説明するための図である。
【図１８】本発明の実施例１を説明するための図である。
【図１９】本発明の実施例１を説明するための図である。
【図２０】本発明の実施例１を説明するための図である。
【図２１】本発明の実施例１を説明するための図である。
【図２２】本発明の実施例１を説明するための図である。
【図２３】本発明の実施例１を説明するための図である。
【図２４】本発明の実施例１を説明するための図である。
【図２５】本発明の実施例１を説明するための図である。
【図２６】本発明の実施例２を説明するための図である。
【図２７】本発明の実施例２を説明するための図である。
【図２８】本発明の実施例２を説明するための図である。
【図２９】本発明の実施例２を説明するための図である。
【図３０】本発明の実施例２を説明するための図である。
【図３１】本発明の一実施例に係る無線装置の構成を示すブロック図である。
【発明を実施するための形態】
【００２３】
本明細書に添付される図面は、本発明に関する理解を提供するためのもので、本発明の様々な実施の形態を示し、明細書の記載と共に本発明の原理を説明するためのものである。
以下、本発明に係る好適な実施の形態を添付の図面を参照して詳しく説明する。添付の図面と共に以下に開示される詳細な説明は、本発明の例示的な実施の形態を説明するためのもので、本発明の唯一の実施の形態を示すためのものではない。以下の詳細な説明は本発明の完全な理解を提供するために具体的な細部事項を含む。しかし、このような具体的な細部事項なしにも本発明が実施され得るということが当業者には理解される。
【００２４】
以下の実施例は、本発明の構成要素と特徴を所定の形態で結合したものである。各構成要素又は特徴は、特別の言及がない限り、選択的なものと考慮することができる。各構成要素又は特徴は、他の構成要素や特徴と結合していない形態で実施されてもよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００２５】
以下の説明で使われる特定用語は、本発明の理解を助けるために提供されるものであり、このような特定用語の使用は、本発明の技術的思想から逸脱しない範囲で他の形態に変更してもよい。
【００２６】
場合によって、本発明の概念が曖昧になることを避けるために、公知の構造及び装置は省略されたり、各構造及び装置の核心機能を中心にしたブロック図の形式で図示されることもある。また、本明細書全体を通じて同一の構成要素には同一の図面符号を付して説明する。
【００２７】
本発明の実施例は、無線アクセスシステムであるＩＥＥＥ ８０２システム、３ＧＰＰシステム、３ＧＰＰ ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００２８】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線アクセスシステムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術によって具現することができる。明確性のために、以下では３ＧＰＰ ＬＴＥ及び３ＧＰＰ ＬＴＥ−Ａシステムを中心に説明するが、本発明の技術的思想がこれに制限されるものではない。
【００２９】
ＷＬＡＮシステムの構造
図１は、本発明を適用できるＩＥＥＥ ８０２．１１システムの例示的な構造を示す図である。
【００３０】
ＩＥＥＥ ８０２．１１構造は複数個の構成要素を含むことができ、それら構成要素の相互作用によって上位層に対してトランスペアレントなＳＴＡ移動性を支援するＷＬＡＮを提供することができる。基本サービスセット（Ｂａｓｉｃ  Ｓｅｒｖｉｃｅ  Ｓｅｔ；ＢＳＳ）はＩＥＥＥ ８０２．１１ ＬＡＮにおける基本的な構成ブロックに該当し得る。図１では、２個のＢＳＳ（ＢＳＳ１及びＢＳＳ２）が存在し、それぞれのＢＳＳのメンバーとして２個のＳＴＡが含まれること（ＳＴＡ１及びＳＴＡ２はＢＳＳ１に含まれ、ＳＴＡ３及びＳＴＡ４はＢＳＳ２に含まれる）を例示的に示している。図１で、ＢＳＳを示す楕円は、当該ＢＳＳに含まれたＳＴＡが通信を維持するカバレッジ領域を示すものと理解してもよい。この領域をＢＳＡ（Ｂａｓｉｃ  Ｓｅｒｖｉｃｅ  Ａｒｅａ）と称することができる。ＳＴＡがＢＳＡの外へ移動すると、当該ＢＳＡ内の他のＳＴＡと直接通信できなくなる。
【００３１】
ＩＥＥＥ ８０２．１１ ＬＡＮにおいて最も基本的なタイプのＢＳＳは、独立したＢＳＳ（Ｉｎｄｅｐｅｎｄｅｎｔ  ＢＳＳ；ＩＢＳＳ）である。例えば、ＩＢＳＳは、２個のＳＴＡだけで構成された最小の形態を有することができる。また、最も単純な形態であるとともに他の構成要素が省略されている図１のＢＳＳ（ＢＳＳ１又はＢＳＳ２）がＩＢＳＳの代表的な例示に該当する。このような構成は、ＳＴＡ同士が直接通信できる場合に可能である。また、このような形態のＬＡＮは、あらかじめ計画して構成されるものではなく、ＬＡＮが必要な場合に構成され、これをアド−ホック（ａｄ−ｈｏｃ）ネットワークと呼ぶこともできる。
【００３２】
ＳＴＡがついたり消えたりすること、ＳＴＡがＢＳＳ領域に入ったり／から出たりすることなどによって、ＢＳＳにおいてＳＴＡのメンバーシップが動的に変更することがある。ＢＳＳのメンバーになるためには、ＳＴＡは同期化過程を用いてＢＳＳにジョインすればよい。ＢＳＳ基盤構造の全てのサービスにアクセスするためには、ＳＴＡはＢＳＳに連携されなければならない。このような連携（ａｓｓｏｃｉａｔｉｏｎ）は動的に設定され、分配システムサービス（Ｄｉｓｔｒｉｂｕｔｉｏｎ  Ｓｙｓｔｅｍ  Ｓｅｒｖｉｃｅ；ＤＳＳ）の利用を含んでもよい。
【００３３】
図２は、本発明を適用できるＩＥＥＥ ８０２．１１システムの他の例示的な構造を示す図である。図２は、図１の構造において、分配システム（Ｄｉｓｔｒｉｂｕｔｉｏｎ  Ｓｙｓｔｅｍ；ＤＳ）、分配システム媒体（Ｄｉｓｔｒｉｂｕｔｉｏｎ  Ｓｙｓｔｅｍ  Ｍｅｄｉｕｍ；ＤＳＭ）、アクセスポイント（Ａｃｃｅｓｓ  Ｐｏｉｎｔ；ＡＰ）などの構成要素が追加された形態である。
【００３４】
ＬＡＮにおいて直接的なステーション−対−ステーションの距離はＰＨＹの性能によって制限されることがある。このような距離の限界が充分な場合もあれば、より遠い距離のステーション間の通信が必要な場合もある。拡張されたカバレッジを支援するために分配システム（ＤＳ）を構成することができる。
【００３５】
ＤＳは、ＢＳＳ同士が相互接続される構造を意味する。具体的に、図１のようにＢＳＳが独立して存在する代わりに、複数個のＢＳＳで構成されたネットワークの拡張された形態の構成要素としてＢＳＳが存在してもよい。
【００３６】
ＤＳは論理的な概念であり、分配システム媒体（ＤＳＭ）の特性によって特定することができる。これと関連して、ＩＥＥＥ ８０２．１１標準では無線媒体（Ｗｉｒｅｌｅｓｓ  Ｍｅｄｉｕｍ；ＷＭ）と分配システム媒体（ＤＳＭ）とを論理的に区別している。それぞれの論理的媒体は互いに異なる目的のために使用され、互いに異なる構成要素によって使用される。ＩＥＥＥ ８０２．１１標準の定義では、このような媒体を互いに同一なものとも、互いに異なるものとも制限しない。このように複数個の媒体が論理的に互いに異なるという点で、ＩＥＥＥ ８０２．１１ ＬＡＮ構造（ＤＳ構造又は他のネットワーク構造）の柔軟性を説明することができる。すなわち、ＩＥＥＥ ８０２．１１ ＬＡＮ構造は様々に具現することができ、それぞれの具現例の物理的な特性によって独立的に当該ＬＡＮ構造を特定することができる。
【００３７】
ＤＳは複数個のＢＳＳのシームレス（ｓｅａｍｌｅｓｓ）な統合を提供し、あて先へのアドレスを扱うために必要な論理的サービスを提供することによって移動機器を支援することができる。
【００３８】
ＡＰとは、連携されているＳＴＡに対してＷＭを介してＤＳへのアクセスを可能にし、且つＳＴＡ機能性を有する個体（ｅｎｔｉｔｙ）を意味する。ＡＰを介してＢＳＳ及びＤＳ間のデータ移動が行われてもよい。例えば、図２に示すＳＴＡ２及びＳＴＡ３は、ＳＴＡの機能性を有するとともに、連携されているＳＴＡ（ＳＴＡ１及びＳＴＡ４）をＤＳにアクセスさせる機能を持つ。また、いかなるＡＰも基本的にＳＴＡに該当するため、ＡＰはいずれもアドレス可能な個体である。ＷＭ上での通信のためにＡＰによって用いられるアドレスとＤＳＭ上での通信のためにＡＰによって用いられるアドレスは必ずしも同一である必要はない。
【００３９】
ＡＰに連携されているＳＴＡのいずれか一つから当該ＡＰのＳＴＡアドレスに送信されるデータは、常に非制御ポート（ｕｎｃｏｎｔｒｏｌｌｅｄ  ｐｏｒｔ）で受信され、ＩＥＥＥ ８０２．１Ｘポートアクセス個体によって処理されてもよい。また、制御ポート（ｃｏｎｔｒｏｌｌｅｄ  ｐｏｒｔ）が認証されると、送信データ（又は、フレーム）はＤＳに伝達されてもよい。
【００４０】
図３は、本発明を適用できるＩＥＥＥ ８０２．１１システムのさらに他の例示的な構造を示す図である。図３では、図２の構造にさらに広いカバレッジを提供するための拡張されたサービスセット（Ｅｘｔｅｎｄｅｄ  Ｓｅｒｖｉｃｅ  Ｓｅｔ；ＥＳＳ）を概念的に示す。
【００４１】
任意の（ａｒｂｉｔｒａｒｙ）大きさ及び複雑度を有する無線ネットワークがＤＳ及びＢＳＳで構成されてもよい。ＩＥＥＥ ８０２．１１システムではこのような方式のネットワークをＥＳＳネットワークと称する。ＥＳＳは、一つのＤＳに接続されたＢＳＳの集合に該当し得る。しかし、ＥＳＳはＤＳを含まない。ＥＳＳネットワークはＬＬＣ（Ｌｏｇｉｃａｌ  Ｌｉｎｋ  Ｃｏｎｔｒｏｌ）層でＩＢＳＳネットワークとして見える点が特徴である。ＥＳＳに含まれるＳＴＡは互いに通信することができ、移動ＳＴＡはＬＬＣにトランスペアレントに一つのＢＳＳから他のＢＳＳに（同一ＥＳＳ内で）移動することができる。
【００４２】
ＩＥＥＥ ８０２．１１では、図３におけるＢＳＳの相対的な物理的位置について何ら仮定しておらず、次のようないずれの形態も可能である。ＢＳＳは部分的に重なってもよく、これは、連続したカバレッジを提供するために一般に利用される形態である。また、ＢＳＳは物理的に接続していなくてもよく、論理的にはＢＳＳ同士間の距離に制限はない。また、ＢＳＳ同士は物理的に同一位置に位置してもよく、これはリダンダンシーを提供するために用いることができる。また、一つ（又は、一つ以上の）ＩＢＳＳ又はＥＳＳネットワークが一つ（又は一つ以上の）ＥＳＳネットワークとして同一空間に物理的に存在してもよい。これは、ＥＳＳネットワークが存在する位置にアド−ホックネットワークが動作する場合、互いに異なる機関（ｏｒｇａｎｉｚａｔｉｏｎｓ）によって物理的に重なるＩＥＥＥ ８０２．１１ネットワークが構成される場合、又は、同一位置で２つ以上の互いに異なるアクセス及び保安政策が必要な場合などにおける、ＥＳＳネットワーク形態に該当し得る。
【００４３】
図４は、無線ＬＡＮシステムの例示的な構造を示す図である。図４では、ＤＳを含む基盤構造ＢＳＳの一例が示されている。
【００４４】
図４の例で、ＢＳＳ１及びＢＳＳ２がＥＳＳを構成する。無線ＬＡＮシステムにおいてＳＴＡはＩＥＥＥ ８０２．１１のＭＡＣ／ＰＨＹ規定に従って動作する機器である。ＳＴＡはＡＰ ＳＴＡ及び非−ＡＰ（ｎｏｎ−ＡＰ）ＳＴＡを含む。Ｎｏｎ−ＡＰ ＳＴＡは、ラップトップコンピュータ、移動電話機のように、一般にユーザが直接扱う機器に該当する。図４の例示で、ＳＴＡ１、ＳＴＡ３、ＳＴＡ４はｎｏｎ−ＡＰ ＳＴＡに該当し、ＳＴＡ２及びＳＴＡ５はＡＰ ＳＴＡに該当する。
【００４５】
以下の説明で、ｎｏｎ−ＡＰ ＳＴＡは、端末（ｔｅｒｍｉｎａｌ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、移動端末（Ｍｏｂｉｌｅ  Ｔｅｒｍｉｎａｌ）、移動加入者局（Ｍｏｂｉｌｅ  Ｓｕｂｓｃｒｉｂｅｒ  Ｓｔａｔｉｏｎ；ＭＳＳ）などと呼ぶことができる。また、ＡＰは、他の無線通信分野における基地局（Ｂａｓｅ  Ｓｔａｔｉｏｎ；ＢＳ）、ノード−Ｂ（Ｎｏｄｅ−Ｂ）、発展したノード−Ｂ（ｅｖｏｌｖｅｄ  Ｎｏｄｅ−Ｂ；ｅＮＢ）、基底送受信システム（Ｂａｓｅ  Ｔｒａｎｓｃｅｉｖｅｒ  Ｓｙｓｔｅｍ；ＢＴＳ）、フェムト基地局（Ｆｅｍｔｏ  ＢＳ）などに対応する概念である。
【００４６】
リンクセットアップ過程
図５は、一般のリンクセットアップ（ｌｉｎｋ  ｓｅｔｕｐ）過程を説明するための図である。
【００４７】
ＳＴＡがネットワークに対してリンクをセットアップし、データを送受信するためには、まず、ネットワークを発見（ｄｉｓｃｏｖｅｒｙ）し、認証（ａｕｔｈｅｎｔｉｃａｔｉｏｎ）を行い、連携（ａｓｓｏｃｉａｔｉｏｎ）を確立（ｅｓｔａｂｌｉｓｈ）し、保安（ｓｅｃｕｒｉｔｙ）のための認証手順などを行わなければならない。リンクセットアップ過程をセッション開始過程、セッションセットアップ過程と呼ぶこともできる。また、リンクセットアップ過程における発見、認証、連携、保安設定の過程を総称して連携過程と呼ぶこともできる。
【００４８】
図５を参照して例示的なリンクセットアップ過程について説明する。
【００４９】
段階Ｓ５１０で、ＳＴＡはネットワーク発見動作を行うことができる。ネットワーク発見動作はＳＴＡのスキャニング（ｓｃａｎｎｉｎｇ）動作を含むことができる。すなわち、ＳＴＡがネットワークにアクセスするためには、参加可能なネットワークを探さなければならない。ＳＴＡは無線ネットワークに参加する前に互換可能なネットワークを識別しなければならないが、特定領域に存在するネットワーク識別過程をスキャニングという。
【００５０】
スキャニング方式には、能動的スキャニング（ａｃｔｉｖｅ  ｓｃａｎｎｉｎｇ）と受動的スキャニング（ｐａｓｓｉｖｅ  ｓｃａｎｎｉｎｇ）がある。
【００５１】
図５では例示として能動的スキャニング過程を含むネットワーク発見動作を示す。能動的スキャニングにおいて、スキャニングを行うＳＴＡはチャネルを移動しながら周辺にどのＡＰが存在するかを探索するためにプローブ要求フレーム（ｐｒｏｂｅ  ｒｅｑｕｅｓｔ  ｆｒａｍｅ）を送信して、それに対する応答を待つ。応答者（ｒｅｓｐｏｎｄｅｒ）は、プローブ要求フレームを送信したＳＴＡに、プローブ要求フレームに対する応答としてプローブ応答フレーム（ｐｒｏｂｅ  ｒｅｓｐｏｎｓｅ  ｆｒａｍｅ）を送信する。ここで、応答者は、スキャニングされているチャネルのＢＳＳで最後にビーコンフレーム（ｂｅａｃｏｎ  ｆｒａｍｅ）を送信したＳＴＡであってもよい。ＢＳＳでは、ＡＰがビーコンフレームを送信するため、ＡＰが応答者となり、ＩＢＳＳでは、ＩＢＳＳ内のＳＴＡが交互にビーコンフレームを送信するため、応答者が一定でない。例えば、１番チャネルでプローブ要求フレームを送信し、１番チャネルでプローブ応答フレームを受信したＳＴＡは、受信したプローブ応答フレームに含まれたＢＳＳ関連情報を保存し、次のチャネル（例えば、２番チャネル）に移動して同一の方法でスキャニング（すなわち、２番チャネル上でプローブ要求／応答の送受信）を行うことができる。
【００５２】
図５には示していないが、スキャニング動作は受動的スキャニング方式で行われてもよい。受動的スキャニングにおいて、スキャニングを行うＳＴＡはチャネルを移動しながらビーコンフレームを待つ。ビーコンフレームは、ＩＥＥＥ ８０２．１１において管理フレーム（ｍａｎａｇｅｍｅｎｔ  ｆｒａｍｅ）の一つであり、無線ネットワークの存在を知らせ、スキャニングを行うＳＴＡが無線ネットワークを探して無線ネットワークに参加できるように、周期的に送信される。ＢＳＳでＡＰがビーコンフレームを周期的に送信する役割を担い、ＩＢＳＳではＩＢＳＳ内のＳＴＡが交互にビーコンフレームを送信する。スキャニングを行うＳＴＡはビーコンフレームを受信すると、ビーコンフレームに含まれたＢＳＳに関する情報を保存し、他のチャネルに移動しながら各チャネルでビーコンフレーム情報を記録する。ビーコンフレームを受信したＳＴＡは、受信したビーコンフレームに含まれたＢＳＳ関連情報を保存し、次のチャネルに移動して同一の方法で次のチャネルでスキャニングを行うことができる。
【００５３】
能動的スキャニングと受動的スキャニングとを比較すれば、能動的スキャニングが受動的スキャニングに比べてディレー（ｄｅｌａｙ）及び電力消費が小さいという利点がある。
【００５４】
ＳＴＡがネットワークを発見した後に、段階Ｓ５２０で認証過程を行うことができる。このような認証過程は、後述する段階Ｓ５４０の保安セットアップ動作と明確に区別するために、第１の認証（ｆｉｒｓｔ  ａｕｔｈｅｎｔｉｃａｔｉｏｎ）過程と呼ぶことができる。
【００５５】
認証過程は、ＳＴＡが認証要求フレーム（ａｕｔｈｅｎｔｉｃａｔｉｏｎ  ｒｅｑｕｅｓｔ  ｆｒａｍｅ）をＡＰに送信し、これに応答してＡＰが認証応答フレーム（ａｕｔｈｅｎｔｉｃａｔｉｏｎ  ｒｅｓｐｏｎｓｅ  ｆｒａｍｅ）をＳＴＡに送信する過程を含む。認証要求／応答に用いられる認証フレーム（ａｕｔｈｅｎｔｉｃａｔｉｏｎ  ｆｒａｍｅ）は管理フレームに該当する。
【００５６】
認証フレームは、認証アルゴリズム番号（ａｕｔｈｅｎｔｉｃａｔｉｏｎ  ａｌｇｏｒｉｔｈｍ  ｎｕｍｂｅｒ）、認証トランザクションシーケンス番号（ａｕｔｈｅｎｔｉｃａｔｉｏｎ  ｔｒａｎｓａｃｔｉｏｎ  ｓｅｑｕｅｎｃｅ  ｎｕｍｂｅｒ）、状態コード（ｓｔａｔｕｓ  ｃｏｄｅ）、検問テキスト（ｃｈａｌｌｅｎｇｅ  ｔｅｘｔ）、ＲＳＮ（Ｒｏｂｕｓｔ  Ｓｅｃｕｒｉｔｙ  Ｎｅｔｗｏｒｋ）、有限循環グループ（Ｆｉｎｉｔｅ  Ｃｙｃｌｉｃ  Ｇｒｏｕｐ）などに関する情報を含むことができる。これは、認証要求／応答フレームに含まれ得る情報の一例示に過ぎず、他の情報に置き換わったり、追加の情報がさらに含まれたりしてもよい。
【００５７】
ＳＴＡは認証要求フレームをＡＰに送信することができる。ＡＰは、受信された認証要求フレームに含まれた情報に基づいて、当該ＳＴＡに対する認証を許容するか否かを決定することができる。ＡＰは認証処理の結果を認証応答フレームを用いてＳＴＡに提供することができる。
【００５８】
ＳＴＡが成功裏に認証された後に、段階Ｓ５３０で連携過程を行うことができる。連携過程は、ＳＴＡが連携要求フレーム（ａｓｓｏｃｉａｔｉｏｎ  ｒｅｑｕｅｓｔ  ｆｒａｍｅ）をＡＰに送信し、それに応答してＡＰが連携応答フレーム（ａｓｓｏｃｉａｔｉｏｎ  ｒｅｓｐｏｎｓｅ  ｆｒａｍｅ）をＳＴＡに送信する過程を含む。
【００５９】
例えば、連携要求フレームは、様々な能力（ｃａｐａｂｉｌｉｔｙ）に関する情報、ビーコン聴取間隔（ｌｉｓｔｅｎ  ｉｎｔｅｒｖａｌ）、ＳＳＩＤ（ｓｅｒｖｉｃｅ  ｓｅｔ  ｉｄｅｎｔｉｆｉｅｒ）、支援レート（ｓｕｐｐｏｒｔｅｄ  ｒａｔｅｓ）、支援チャネル（ｓｕｐｐｏｒｔｅｄ  ｃｈａｎｎｅｌｓ）、ＲＳＮ、移動性ドメイン、支援オペレーティングクラス（ｓｕｐｐｏｒｔｅｄ  ｏｐｅｒａｔｉｎｇ  ｃｌａｓｓｅｓ）、ＴＩＭ放送要求（Ｔｒａｆｆｉｃ  Ｉｎｄｉｃａｔｉｏｎ  Ｍａｐ  Ｂｒｏａｄｃａｓｔ  ｒｅｑｕｅｓｔ）、相互動作（ｉｎｔｅｒｗｏｒｋｉｎｇ）サービス能力などに関する情報を含むことができる。
【００６０】
例えば、連携応答フレームは、様々な能力に関する情報、状態コード、ＡＩＤ（Ａｓｓｏｃｉａｔｉｏｎ  ＩＤ）、支援レート、ＥＤＣＡ（Ｅｎｈａｎｃｅｄ  Ｄｉｓｔｒｉｂｕｔｅｄ  Ｃｈａｎｎｅｌ  Ａｃｃｅｓｓ）パラメータセット、ＲＣＰＩ（Ｒｅｃｅｉｖｅｄ  Ｃｈａｎｎｅｌ  Ｐｏｗｅｒ  Ｉｎｄｉｃａｔｏｒ）、ＲＳＮＩ（Ｒｅｃｅｉｖｅｄ  Ｓｉｇｎａｌ  ｔｏ  Ｎｏｉｓｅ  Ｉｎｄｉｃａｔｏｒ）、移動性ドメイン、タイムアウト間隔（連携カムバック時間（ａｓｓｏｃｉａｔｉｏｎ  ｃｏｍｅｂａｃｋ  ｔｉｍｅ））、重畳（ｏｖｅｒｌａｐｐｉｎｇ）ＢＳＳスキャンパラメータ、ＴＩＭ放送応答、ＱｏＳマップなどの情報を含むことができる。
【００６１】
これは連携要求／応答フレームに含まれ得る情報の一例に過ぎず、他の情報に置き換わったり、追加の情報がさらに含まれたりしてもよい。
【００６２】
ＳＴＡがネットワークに成功裏に連携された後に、段階Ｓ５４０で保安セットアップ過程を行うことができる。段階Ｓ５４０の保安セットアップ過程は、ＲＳＮＡ（Ｒｏｂｕｓｔ  Ｓｅｃｕｒｉｔｙ  Ｎｅｔｗｏｒｋ  Ａｓｓｏｃｉａｔｉｏｎ）要求／応答を通じた認証過程ということもでき、上記の段階Ｓ５２０の認証過程を第１の認証（ｆｉｒｓｔ  ａｕｔｈｅｎｔｉｃａｔｉｏｎ）過程とし、段階Ｓ５４０の保安セットアップ過程を単純に認証過程と呼ぶこともできる。
【００６３】
段階Ｓ５４０の保安セットアップ過程は、例えば、ＥＡＰＯＬ（Ｅｘｔｅｎｓｉｂｌｅ  Ａｕｔｈｅｎｔｉｃａｔｉｏｎ  Ｐｒｏｔｏｃｏｌ  ｏｖｅｒ  ＬＡＮ）フレームを通じた４−ウェイ（ｗａｙ）ハンドシェーキングを通じて、プライベートキーセットアップ（ｐｒｉｖａｔｅ  ｋｅｙ  ｓｅｔｕｐ）をする過程を含むことができる。また、保安セットアップ過程は、ＩＥＥＥ ８０２．１１標準で定義しない保安方式によって行われてもよい。
【００６４】
ＷＬＡＮの進化
無線ＬＡＮで通信速度の限界を克服するために比較的最近に制定された技術標準としてＩＥＥＥ ８０２．１１ｎがある。ＩＥＥＥ ８０２．１１ｎは、ネットワークの速度と信頼性を増大させ、且つ無線ネットワークの運営距離を拡張することに目的がある。より具体的に、ＩＥＥＥ ８０２．１１ｎは、データ処理速度が最大５４０Ｍｂｐｓ以上である高処理率（Ｈｉｇｈ  Ｔｈｒｏｕｇｈｐｕｔ；ＨＴ）を支援するとともに、送信エラーを最小化し、データ速度を最適化するために送信端と受信端の両方とも多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基づいている。
【００６５】
無線ＬＡＮの普及が活性化され、さらにそれを用いたアプリケーションが多様化するに伴って、最近ではＩＥＥＥ ８０２．１１ｎが支援するデータ処理速度よりも高い処理率を支援するための新しい無線ＬＡＮシステムの必要性が台頭している。超高処理率（Ｖｅｒｙ  Ｈｉｇｈ  Ｔｈｒｏｕｇｈｐｕｔ；ＶＨＴ）を支援する次世代無線ＬＡＮシステムは、ＩＥＥＥ ８０２．１１ｎ無線ＬＡＮシステムの次のバージョン（例えば、ＩＥＥＥ ８０２．１１ａｃ）であり、ＭＡＣサービスアクセスポイント（Ｓｅｒｖｉｃｅ  Ａｃｃｅｓｓ  Ｐｏｉｎｔ；ＳＡＰ）で１Ｇｂｐｓ以上のデータ処理速度を支援するために最近に新しく提案されているＩＥＥＥ ８０２．１１無線ＬＡＮシステムの一つである。
【００６６】
次世代無線ＬＡＮシステムは、無線チャネルを効率的に利用するために複数のＳＴＡが同時にチャネルにアクセスするＭＵ−ＭＩＭＯ（Ｍｕｌｔｉ  Ｕｓｅｒ  Ｍｕｌｔｉｐｌｅ  Ｉｎｐｕｔ  Ｍｕｌｔｉｐｌｅ  Ｏｕｔｐｕｔ）方式の送信を支援する。ＭＵ−ＭＩＭＯ送信方式によれば、ＡＰが、ＭＩＭＯペアリング（ｐａｉｒｉｎｇ）された一つ以上のＳＴＡに同時にパケットを送信することができる。
【００６７】
また、ホワイトスペース（ｗｈｉｔｅ  ｓｐａｃｅ）で無線ＬＡＮシステム動作を支援することが議論されている。例えば、アナログＴＶのデジタル化による遊休状態の周波数帯域（例えば、５４〜６９８ＭＨｚ帯域）のようなＴＶホワイトスペース（ＴＶＷＳ）での無線ＬＡＮシステムの導入は、ＩＥＥＥ ８０２．１１ａｆ標準として議論されている。しかし、これは例示に過ぎず、ホワイトスペースは、許可されたユーザ（ｌｉｃｅｎｓｅｄ  ｕｓｅｒ）が優先して使用できる許可された帯域といえる。許可されたユーザは、許可された帯域の使用が許可されたユーザのことを意味し、許可された装置（ｌｉｃｅｎｓｅｄ  ｄｅｖｉｃｅ）、プライマリユーザ（ｐｒｉｍａｒｙ  ｕｓｅｒ）、優先的ユーザ（ｉｎｃｕｍｂｅｎｔ  ｕｓｅｒ）などと呼ぶこともできる。
【００６８】
例えば、ＷＳで動作するＡＰ及び／又はＳＴＡは、許可されたユーザに対する保護（ｐｒｏｔｅｃｔｉｏｎ）機能を提供しなければならない。例えば、ＷＳ帯域で特定帯域幅を有するように規約（ｒｅｇｕｌａｔｉｏｎ）上分割されている周波数帯域である特定ＷＳチャネルを、マイクロホン（ｍｉｃｒｏｐｈｏｎｅ）のような許可されたユーザが既に使用している場合、許可されたユーザを保護するために、ＡＰ及び／又はＳＴＡは当該ＷＳチャネルに該当する周波数帯域は使用することができない。また、ＡＰ及び／又はＳＴＡは、現在フレーム送信及び／又は受信のために使用している周波数帯域を許可されたユーザが使用するようになると、当該周波数帯域の使用を中止しなければならない。
【００６９】
このため、ＡＰ及び／又はＳＴＡは、ＷＳ帯域中の特定周波数帯域の使用が可能か否か、すなわち、当該周波数帯域に許可されたユーザが存在するか否かを把握する手順を先行しなければならない。許可されたユーザが特定周波数帯域に存在するか否かを把握することをスペクトルセンシング（ｓｐｅｃｔｒｕｍ  ｓｅｎｓｉｎｇ）という。スペクトルセンシングメカニズムとして、エネルギー探知（ｅｎｅｒｇｙ  ｄｅｔｅｃｔｉｏｎ）方式、信号探知（ｓｉｇｎａｔｕｒｅ  ｄｅｔｅｃｔｉｏｎ）方式などが活用される。受信信号の強度が一定値以上であれば、許可されたユーザが使用中であると判断したり、ＤＴＶプリアンブル（ｐｒｅａｍｂｌｅ）が検出されると、許可されたユーザが使用中であると判断することができる。
【００７０】
また、次世代通信技術としてＭ２Ｍ（Ｍａｃｈｉｎｅ−ｔｏ−Ｍａｃｈｉｎｅ）通信技術が議論されている。ＩＥＥＥ ８０２．１１無線ＬＡＮシステムでもＭ２Ｍ通信を支援するための技術標準がＩＥＥＥ ８０２．１１ａｈとして開発されている。Ｍ２Ｍ通信は、一つ以上のマシン（Ｍａｃｈｉｎｅ）が含まれる通信方式を意味し、ＭＴＣ（Ｍａｃｈｉｎｅ  Ｔｙｐｅ  Ｃｏｍｍｕｎｉｃａｔｉｏｎ）又は事物通信と呼ばれることもある。ここで、マシンとは、人間の直接的な操作や介入を必要としない個体（ｅｎｔｉｔｙ）を意味する。例えば、無線通信モジュールが搭載された検針機（ｍｅｔｅｒ）や自動販売機のような装置を含めて、ユーザの操作／介入無しに自動でネットワークに接続して通信を行うことができるスマートフォンのようなユーザ機器もマシンの例示に該当し得る。Ｍ２Ｍ通信は、デバイス間の通信（例えば、Ｄ２Ｄ（Ｄｅｖｉｃｅ−ｔｏ−Ｄｅｖｉｃｅ）通信）、デバイスとサーバー（ａｐｐｌｉｃａｔｉｏｎ  ｓｅｒｖｅｒ）間の通信などを含むことができる。デバイスとサーバー間の通信の例示としては、自動販売機とサーバー、ＰＯＳ（Ｐｏｉｎｔ  ｏｆ  Ｓａｌｅ）装置とサーバー、電気、ガス又は水道検針機とサーバー間の通信が挙げられる。その他にも、Ｍ２Ｍ通信ベースのアプリケーション（ａｐｐｌｉｃａｔｉｏｎ）には、保安（ｓｅｃｕｒｉｔｙ）、運送（ｔｒａｎｓｐｏｒｔａｔｉｏｎ）、ヘルスケア（ｈｅａｌｔｈ  ｃａｒｅ）などが含まれてもよい。このような適用例の特性を考慮すると、一般に、Ｍ２Ｍ通信は、数多くの機器が存在する環境でたまに少量のデータを低速で送受信することを支援できるものでなければならない。
【００７１】
具体的には、Ｍ２Ｍ通信は多数のＳＴＡを支援できるものでなければならない。現在定義されている無線ＬＡＮシステムでは、一つのＡＰに最大２００７個のＳＴＡが連携される場合を仮定するが、Ｍ２Ｍ通信ではそれよりも多い個数（約６０００個）のＳＴＡが一つのＡＰに連携される場合を支援する方案が議論されている。また、Ｍ２Ｍ通信では低い送信速度を支援／要求するアプリケーションが多いと予想される。これを円滑に支援するために、例えば、無線ＬＡＮシステムでは、ＴＩＭ（Ｔｒａｆｆｉｃ  Ｉｎｄｉｃａｔｉｏｎ  Ｍａｐ）要素に基づいてＳＴＡが自身に送信されるデータの有無を認知できるが、ＴＩＭのビットマップサイズを減らす方案が議論されている。また、Ｍ２Ｍ通信では送信／受信間隔が非常に長いトラフィックが多いと予想される。例えば、電気／ガス／水道の使用量のように長い周期（例えば、１ケ月）ごとに大変少ない量のデータをやり取りすることが要求される。そのため、無線ＬＡＮシステムでは、一つのＡＰに連携され得るＳＴＡの個数が非常に多くなっても、一つのビーコン周期の間にＡＰから受信するデータフレームが存在するＳＴＡの個数が大変少ない場合を効率的に支援する方案が議論されている。
【００７２】
このように無線ＬＡＮ技術は急速に進化しつつあり、前述の例示に加えて、直接リンクセットアップ、メディアストリーミング性能の改善、高速及び／又は大規模の初期セッションセットアップの支援、拡張された帯域幅及び動作周波数の支援などのための技術が開発されている。
【００７３】
媒体アクセスメカニズム
ＩＥＥＥ ８０２．１１に基づく無線ＬＡＮシステムにおいて、ＭＡＣ（Ｍｅｄｉｕｍ  Ａｃｃｅｓｓ  Ｃｏｎｔｒｏｌ）の基本アクセスメカニズムは、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）メカニズムである。ＣＳＭＡ／ＣＡメカニズムは、ＩＥＥＥ ８０２．１１ ＭＡＣの分配調整機能（Ｄｉｓｔｒｉｂｕｔｅｄ  Ｃｏｏｒｄｉｎａｔｉｏｎ  Ｆｕｎｃｔｉｏｎ、ＤＣＦ）とも呼ばれるが、基本的に「ｌｉｓｔｅｎ  ｂｅｆｏｒｅ  ｔａｌｋ」アクセスメカニズムを採用している。このような類型のアクセスメカニズムによれば、ＡＰ及び／又はＳＴＡは送信を開始するに先立ち、所定の時間区間（例えば、ＤＩＦＳ（ＤＣＦ  Ｉｎｔｅｒ−Ｆｒａｍｅ  Ｓｐａｃｅ）の間に無線チャネル又は媒体（ｍｅｄｉｕｍ）をセンシング（ｓｅｎｓｉｎｇ）するＣＣＡ（Ｃｌｅａｒ  Ｃｈａｎｎｅｌ  Ａｓｓｅｓｓｍｅｎｔ）を行うことができる。センシングの結果、媒体が遊休状態（ｉｄｌｅ  ｓｔａｔｕｓ）と判断されると、当該媒体を介してフレーム送信を始める。一方、媒体が占有状態（ｏｃｃｕｐｉｅｄ  ｓｔａｔｕｓ）と感知されると、当該ＡＰ及び／又はＳＴＡは自分の送信を開始せず、媒体アクセスのための遅延期間（例えば、任意バックオフ周期（ｒａｎｄｏｍ  ｂａｃｋｏｆｆ  ｐｅｒｉｏｄ））を設定して待った後、フレーム送信を試みることができる。任意バックオフ周期の適用から、複数のＳＴＡはそれぞれ異なった時間待った後にフレーム送信を試みることが期待されるため、衝突（ｃｏｌｌｉｓｉｏｎ）を最小化することができる。
【００７４】
また、ＩＥＥＥ ８０２．１１ ＭＡＣプロトコルはＨＣＦ（Ｈｙｂｒｉｄ  Ｃｏｏｒｄｉｎａｔｉｏｎ  Ｆｕｎｃｔｉｏｎ）を提供する。ＨＣＦはＤＣＦとＰＣＦ（Ｐｏｉｎｔ  Ｃｏｏｒｄｉｎａｔｉｏｎ  Ｆｕｎｃｔｉｏｎ）に基づく。ＰＣＦは、ポーリング（ｐｏｌｌｉｎｇ）ベースの同期式アクセス方式で、全ての受信ＡＰ及び／又はＳＴＡがデータフレームを受信できるように周期的にポーリングする方式のことをいう。また、ＨＣＦは、ＥＤＣＡ（Ｅｎｈａｎｃｅｄ  Ｄｉｓｔｒｉｂｕｔｅｄ  Ｃｈａｎｎｅｌ  Ａｃｃｅｓｓ）とＨＣＣＡ（ＨＣＦ  Ｃｏｎｔｒｏｌｌｅｄ  Ｃｈａｎｎｅｌ  Ａｃｃｅｓｓ）を有する。ＥＤＣＡは、提供者が複数のユーザにデータフレームを提供するためのアクセス方式を競合ベースとするものであり、ＨＣＣＡは、ポーリングメカニズムを用いた非競合ベースのチャネルアクセス方式を用いるものである。また、ＨＣＦは、ＷＬＡＮのＱｏＳ（Ｑｕａｌｉｔｙ  ｏｆ  Ｓｅｒｖｉｃｅ）を向上させるための媒体アクセスメカニズムを含み、競合周期（Ｃｏｎｔｅｎｔｉｏｎ  Ｐｅｒｉｏｄ；ＣＰ）、非競合周期（Ｃｏｎｔｅｎｔｉｏｎ  Ｆｒｅｅ  Ｐｅｒｉｏｄ；ＣＦＰ）のいずれにおいてもＱｏＳデータを送信することができる。
【００７５】
図６は、バックオフ過程を説明するための図である。
【００７６】
図６を参照して任意バックオフ周期に基づく動作について説明する。占有（ｏｃｃｕｐｙ又はｂｕｓｙ）状態だった媒体が遊休（ｉｄｌｅ）状態に変更されると、複数のＳＴＡはデータ（又はフレーム）送信を試みることができる。この時、衝突を最小化するための方案として、ＳＴＡはそれぞれ任意バックオフカウントを選択し、それに該当するスロット時間だけ待機した後、送信を試みることができる。任意バックオフカウントは、擬似−任意整数（ｐｓｅｕｄｏ−ｒａｎｄｏｍ  ｉｎｔｅｇｅｒ）値を有し、０乃至ＣＷ範囲の値のいずれか一つに決定され得る。ここで、ＣＷは、競合ウィンドウ（Ｃｏｎｔｅｎｔｉｏｎ  Ｗｉｎｄｏｗ）パラメータ値である。ＣＷパラメータは初期値としてＣＷｍｉｎが与えられるが、送信失敗の場合（例えば、送信されたフレームに対するＡＣＫを受信できなかった場合）に２倍の値を取ることができる。ＣＷパラメータ値がＣＷｍａｘになると、データ送信に成功するまでＣＷｍａｘ値を維持しながらデータ送信を試みることができ、データ送信に成功する場合にはＣＷｍｉｎ値にリセットされる。ＣＷ、ＣＷｍｉｎ及びＣＷｍａｘ値は２n−１（ｎ＝０，１，２，…）に設定されることが好ましい。
【００７７】
任意バックオフ過程が始まると、ＳＴＡは、決定されたバックオフカウント値によってバックオフスロットをカウントダウンする間に続けて媒体をモニタする。媒体が占有状態とモニタされるとカウントダウンを止めて待機し、媒体が遊休状態になると残りのカウントダウンを再開する。
【００７８】
図６の例示で、ＳＴＡ３のＭＡＣに送信するパケットが到達した場合に、ＳＴＡ３はＤＩＦＳだけ媒体が遊休状態であることを確認し、直ちにフレームを送信することができる。一方、残りのＳＴＡは、媒体が占有（ｂｕｓｙ）状態であることをモニタして待機する。その間にＳＴＡ１、ＳＴＡ２及びＳＴＡ５のそれぞれでも送信するデータが発生することがあり、それぞれのＳＴＡは、媒体が遊休状態とモニタされると、ＤＩＦＳだけ待機した後に、それぞれ選択した任意バックオフカウント値によってバックオフスロットのカウントダウンを行うことができる。図６の例示では、ＳＴＡ２が最も小さいバックオフカウント値を選択し、ＳＴＡ１が最も大きいバックオフカウント値を選択した場合を示す。すなわち、ＳＴＡ２がバックオフカウントを終えてフレーム送信を始める時点でＳＴＡ５の残余バックオフ時間はＳＴＡ１の残余バックオフ時間よりも短い場合を例示する。ＳＴＡ１及びＳＴＡ５は、ＳＴＡ２が媒体を占有する間に暫くカウントダウンを止めて待機する。ＳＴＡ２の占有が終了して媒体が再び遊休状態になると、ＳＴＡ１及びＳＴＡ５はＤＩＦＳだけ待機した後に、止めていたバックオフカウントを再開する。すなわち、残余バックオフ時間だけの余りのバックオフスロットをカウントダウンした後にフレーム送信を始めることができる。ＳＴＡ５の残余バックオフ時間がＳＴＡ１よりも短かったため、ＳＴＡ５がフレーム送信を始めるようになる。一方、ＳＴＡ２が媒体を占有する間にＳＴＡ４でも送信するデータが発生することがある。このとき、ＳＴＡ４の立場では、媒体が遊休状態になるとＤＩＦＳだけ待機した後、自身が選択した任意バックオフカウント値によるカウントダウンを行ってフレーム送信を始めることができる。図６の例示では、ＳＴＡ５の残余バックオフ時間がＳＴＡ４の任意バックオフカウント値と偶然に一致する場合を示し、この場合、ＳＴＡ４とＳＴＡ５間に衝突が発生することがある。衝突が発生する場合はＳＴＡ４、ＳＴＡ５両方ともＡＣＫを受けることができず、データ送信に失敗することになる。この場合、ＳＴＡ４とＳＴＡ５はＣＷ値を２倍に増やした後に任意バックオフカウント値を選択してカウントダウンを行うことができる。一方、ＳＴＡ１は、ＳＴＡ４とＳＴＡ５の送信によって媒体が占有状態である間に待機しているが、媒体が遊休状態になると、ＤＩＦＳだけ待機した後、残余バックオフ時間が経過するとフレーム送信を開始することができる。
【００７９】
ＳＴＡのセンシング動作
前述したように、ＣＳＭＡ／ＣＡメカニズムは、ＡＰ及び／又はＳＴＡが媒体を直接センシングする物理的キャリアセンシング（ｐｈｙｓｉｃａｌ  ｃａｒｒｉｅｒ  ｓｅｎｓｉｎｇ）の他、仮想キャリアセンシング（ｖｉｒｔｕａｌ  ｃａｒｒｉｅｒ  ｓｅｎｓｉｎｇ）も含む。仮想キャリアセンシングは、隠されたノード問題（ｈｉｄｄｅｎ  ｎｏｄｅ  ｐｒｏｂｌｅｍ）などのように媒体アクセスで発生し得る問題を補完するために用いられる。仮想キャリアセンシングのために、無線ＬＡＮシステムのＭＡＣはネットワーク割当てベクトル（Ｎｅｔｗｏｒｋ  Ａｌｌｏｃａｔｉｏｎ  Ｖｅｃｔｏｒ；ＮＡＶ）を用いることができる。ＮＡＶは、現在媒体を利用していたり又は利用する権限のあるＡＰ及び／又はＳＴＡが、媒体を使用可能な状態になるまで残っている時間を、他のＡＰ及び／又はＳＴＡに指示（ｉｎｄｉｃａｔｅ）する値である。したがって、ＮＡＶに設定された値は、当該フレームを送信するＡＰ及び／又はＳＴＡによって媒体の利用が予定されている期間に該当し、ＮＡＶ値を受信するＳＴＡは、当該期間において媒体アクセスが禁止される。ＮＡＶは、例えば、フレームのＭＡＣヘッダー（ｈｅａｄｅｒ）の”ｄｕｒａｔｉｏｎ”フィールドの値によって設定することができる。
【００８０】
また、衝突可能性を低減するために堅牢な衝突検出（ｒｏｂｕｓｔ  ｃｏｌｌｉｓｉｏｎ  ｄｅｔｅｃｔ）メカニズムが導入された。これについて図７及び図８を参照して説明する。実際にキャリアセンシング範囲と送信範囲は同一でないこともあるが、説明の便宜のために両者は同一であると仮定する。
【００８１】
図７は、隠されたノード及び露出されたノードを説明するための図である。
【００８２】
図７（ａ）は、隠されたノードに対する例示であり、ＳＴＡ ＡとＳＴＡ Ｂとが通信中にあり、ＳＴＡ Ｃが送信する情報を持っている場合である。具体的に、ＳＴＡ ＡがＳＴＡ Ｂに情報を送信している状況であるにもかかわらず、ＳＴＡ ＣがＳＴＡ Ｂにデータを送る前にキャリアセンシングを行う際、媒体が遊休状態にあると判断することがある。これは、ＳＴＡ Ａの送信（すなわち、媒体占有）をＳＴＡ Ｃの位置ではセンシングできないこともあるためである。このような場合、ＳＴＡ ＢはＳＴＡ ＡとＳＴＡ Ｃの情報を同時に受け、衝突が発生することになる。このとき、ＳＴＡ ＡをＳＴＡ Ｃの隠されたノードということができる。
【００８３】
図７（ｂ）は、露出されたノード（ｅｘｐｏｓｅｄ  ｎｏｄｅ）に対する例示であり、ＳＴＡ ＢがＳＴＡ Ａにデータを送信している状況で、ＳＴＡ ＣがＳＴＡ Ｄに送信する情報を持っている場合である。この場合、ＳＴＡ Ｃがキャリアセンシングを行うと、ＳＴＡ Ｂの送信によって媒体が占有された状態であると判断することができる。そのため、ＳＴＡ ＣがＳＴＡ Ｄに送信する情報を持っていても、媒体占有状態とセンシングされたため、媒体が遊休状態になるまで待たなければならない。しかし、実際にはＳＴＡ ＡはＳＴＡ Ｃの送信範囲外にあるため、ＳＴＡ Ｃからの送信とＳＴＡ Ｂからの送信とがＳＴＡ Ａの立場では衝突しないこともあるため、ＳＴＡ Ｃは、ＳＴＡ Ｂが送信を止めるまで余計に待機することになる。このとき、ＳＴＡ ＣをＳＴＡ Ｂの露出されたノードということができる。
【００８４】
図８は、ＲＴＳとＣＴＳを説明するための図である。
【００８５】
図７のような例示的な状況で衝突回避（ｃｏｌｌｉｓｉｏｎ  ｖｏｉｄａｎｃｅ）メカニズムを効率的に利用するために、ＲＴＳ（ｒｅｑｕｅｓｔ  ｔｏ  ｓｅｎｄ）とＣＴＳ（ｃｌｅａｒ  ｔｏ  ｓｅｎｄ）などの短いシグナリングパケット（ｓｈｏｒｔ  ｓｉｇｎａｌｉｎｇ  ｐａｃｋｅｔ）を利用することができる。両ＳＴＡ間のＲＴＳ／ＣＴＳは周囲のＳＴＡがオーバーヒヤリング（ｏｖｅｒｈｅａｒｉｎｇ）できるようにし、この周囲のＳＴＡが上記両ＳＴＡ間の情報送信の有無を考慮するようにすることができる。例えば、データを送信しようとするＳＴＡがデータを受けるＳＴＡにＲＴＳフレームを送信すると、データを受けるＳＴＡはＣＴＳフレームを周囲の端末に送信することによって、自身がデータを受けることを知らせることができる。
【００８６】
図８（ａ）は、隠されたノード問題を解決する方法に関する例示であり、ＳＴＡ ＡとＳＴＡ ＣがいずれもＳＴＡ Ｂにデータを送信しようとする場合を仮定する。ＳＴＡ ＡがＲＴＳをＳＴＡ Ｂに送ると、ＳＴＡ ＢはＣＴＳを自身の周囲にあるＳＴＡ Ａ及びＳＴＡ Ｃの両方に送信する。その結果、ＳＴＡ ＣはＳＴＡ ＡとＳＴＡ Ｂのデータ送信が終わるまで待機し、衝突を避けることができる。
【００８７】
図８（ｂ）は、露出されたノード問題を解決する方法に関する例示であり、ＳＴＡ ＡとＳＴＡ Ｂ間のＲＴＳ／ＣＴＳ送信をＳＴＡ Ｃがオーバーヒヤリングすることによって、ＳＴＡ Ｃは自身が他のＳＴＡ（例えば、ＳＴＡ Ｄ）にデータを送信しても衝突が発生しないと判断することができる。すなわち、ＳＴＡ Ｂは周囲の全端末にＲＴＳを送信し、実際に送るデータを持っているＳＴＡ ＡのみがＣＴＳを送信するようになる。ＳＴＡ Ｃは、ＲＴＳのみを受信し、ＳＴＡ ＡのＣＴＳは受信できなかったため、ＳＴＡ ＡがＳＴＡ Ｃのキャリアセンシング外にあるということがわかる。
【００８８】
電力管理
前述したように、無線ＬＡＮシステムではＳＴＡが送受信を行う前にチャネルセンシングを行わなければならないが、チャネルを常にセンシングすることはＳＴＡの持続的な電力消費を引き起こす。受信状態での電力消費は送信状態での電力消費と大差がないため、受信状態を持続することも、電力の制限された（すなわち、バッテリーによって動作する）ＳＴＡには大きな負担となる。したがって、ＳＴＡが持続的にチャネルをセンシングするために受信待機状態を維持すると、無線ＬＡＮ処理率の側面で特別な利点もなく電力を非効率的に消費することになる。このような問題点を解決するために、無線ＬＡＮシステムではＳＴＡの電力管理（ｐｏｗｅｒ  ｍａｎａｇｅｍｅｎｔ；ＰＭ）モードを支援する。
【００８９】
ＳＴＡの電力管理モードはアクティブ（ａｃｔｉｖｅ）モード及び節電（ｐｏｗｅｒ  ｓａｖｅ；ＰＳ）モードに区別される。ＳＴＡは基本的にアクティブモードで動作する。アクティブモードで動作するＳＴＡは、アウェイク状態（ａｗａｋｅ  ｓｔａｔｅ）を維持する。アウェイク状態は、フレーム送受信やチャネルスキャニングなどの正常動作が可能な状態である。一方、ＰＳモードで動作するＳＴＡは、スリープ状態（ｓｌｅｅｐ  ｓｔａｔｅ）とアウェイク状態（ａｗａｋｅ  ｓｔａｔｅ）を切り替えながら動作する。スリープ状態で動作するＳＴＡは、最小限の電力で動作し、フレーム送受信もチャネルスキャニングも行わない。
【００９０】
ＳＴＡがスリープ状態でできるだけ長く動作するほど電力消費が減るため、ＳＴＡの動作期間が増加する。しかし、スリープ状態ではフレーム送受信が不可能なため、無条件に長く動作するわけにはいかない。スリープ状態で動作するＳＴＡがＡＰに送信するフレームを有すると、アウェイク状態に切り替わってフレームを送信することができる。一方、ＡＰがＳＴＡに送信するフレームがある場合、スリープ状態のＳＴＡはそれを受信できないことはもとより、受信するフレームが存在するということも把握できない。したがって、ＳＴＡは自身に送信されるフレームが存在するか否かを確認するために（また、存在するならそれを受信するために）特定周期に従ってアウェイク状態に切り替わる動作が必要でありうる。
【００９１】
図９は、電力管理動作を説明するための図である。
【００９２】
図９を参照すると、ＡＰ ２１０は、一定の周期でビーコンフレーム（ｂｅａｃｏｎ  ｆｒａｍｅ）をＢＳＳ内のＳＴＡに送信する（Ｓ２１１、Ｓ２１２、Ｓ２１３、Ｓ２１４、Ｓ２１５、Ｓ２１６）。ビーコンフレームには、ＴＩＭ（Ｔｒａｆｆｉｃ  Ｉｎｄｉｃａｔｉｏｎ  Ｍａｐ）情報要素（Ｉｎｆｏｒｍａｔｉｏｎ  Ｅｌｅｍｅｎｔ）が含まれる。ＴＩＭ情報要素は、ＡＰ ２１０が自身と連携されているＳＴＡに対するバッファされたトラフィックが存在し、フレームを送信することを知らせる情報を含む。ＴＩＭ要素には、ユニキャスト（ｕｎｉｃａｓｔ）フレームを知らせるために用いられるＴＩＭと、マルチキャスト（ｍｕｌｔｉｃａｓｔ）又はブロードキャスト（ｂｒｏａｄｃａｓｔ）フレームを知らせるために用いられるＤＴＩＭ（ｄｅｌｉｖｅｒｙ  ｔｒａｆｆｉｃ  ｉｎｄｉｃａｔｉｏｎ  ｍａｐ）がある。
【００９３】
ＡＰ ２１０は、３回のビーコンフレームを送信する度に１回ずつＤＴＩＭを送信することができる。ＳＴＡ１ ２２０及びＳＴＡ２ ２３０はＰＳモードで動作するＳＴＡである。ＳＴＡ１ ２２０及びＳＴＡ２ ２３０は、所定の周期のウェイクアップインターバル（ｗａｋｅｕｐ  ｉｎｔｅｒｖａｌ）ごとにスリープ状態からアウェイク状態に切り替わり、ＡＰ ２１０によって送信されたＴＩＭ要素を受信できるように設定されてもよい。それぞれのＳＴＡは、自身のローカルクロック（ｌｏｃａｌ  ｃｌｏｃｋ）に基づいてアウェイク状態に切り替わる時点を計算することができ、図９の例示ではＳＴＡのクロックがＡＰのクロックと一致すると仮定する。
【００９４】
例えば、所定のウェイクアップインターバルは、ＳＴＡ１ ２２０がビーコンインターバルごとにアウェイク状態に切り替わってＴＩＭ要素を受信できるように設定されてもよい。そのため、ＳＴＡ１ ２２０は、ＡＰ ２１０が最初にビーコンフレームを送信する時（Ｓ２１１）にアウェイク状態に切り替わり得る（Ｓ２２１）。ＳＴＡ１ ２２０は、ビーコンフレームを受信してＴＩＭ要素を取得することができる。取得されたＴＩＭ要素が、ＳＴＡ１ ２２０に送信されるフレームがあることを示すと、ＳＴＡ１ ２２０は、ＡＰ ２１０にフレーム送信を要求するＰＳ−Ｐｏｌｌ（Ｐｏｗｅｒ  Ｓａｖｅ−Ｐｏｌｌ）フレームをＡＰ ２１０に送信することができる（Ｓ２２１ａ）。ＡＰ ２１０は、ＰＳ−Ｐｏｌｌフレームに対応してフレームをＳＴＡ１ ２２０に送信することができる（Ｓ２３１）。フレーム受信を完了したＳＴＡ１ ２２０は再びスリープ状態に切り替わって動作する。
【００９５】
ＡＰ ２１０が二番目にビーコンフレームを送信するにあたり、他の装置が媒体にアクセスするなどして媒体が占有された（ｂｕｓｙ  ｍｅｄｉｕｍ）状態であるから、ＡＰ ２１０は正確なビーコンインターバルに合わせてビーコンフレームを送信できず、遅延された時点に送信することがある（Ｓ２１２）。この場合、ＳＴＡ１ ２２０はビーコンインターバルに合わせて動作モードをアウェイク状態に切り替えるが、遅延送信されるビーコンフレームを受信できず、再びスリープ状態に切り替わる（Ｓ２２２）。
【００９６】
ＡＰ ２１０が三番目にビーコンフレームを送信する時、当該ビーコンフレームはＤＴＩＭと設定されたＴＩＭ要素を含むことができる。ただし、媒体が占有された（ｂｕｓｙ  ｍｅｄｉｕｍ）状態であるから、ＡＰ ２１０はビーコンフレームを遅延して送信する（Ｓ２１３）。ＳＴＡ１ ２２０は、ビーコンインターバルに合わせてアウェイク状態に切り替わって動作し、ＡＰ ２１０によって送信されるビーコンフレームからＤＴＩＭを取得することができる。ＳＴＡ１ ２２０が取得したＤＴＩＭは、ＳＴＡ１ ２２０に送信されるフレームはなく、他のＳＴＡのためのフレームが存在することを示す場合を仮定する。この場合、ＳＴＡ１ ２２０は、自身が受信するフレームがないことを確認し、再びスリープ状態に切り替わって動作することができる。ＡＰ ２１０はビーコンフレーム送信後にフレームを該当のＳＴＡに送信する（Ｓ２３２）。
【００９７】
ＡＰ ２１０は、四番目にビーコンフレームを送信する（Ｓ２１４）。ただし、ＳＴＡ１ ２２０は、その以前の２回にわたるＴＩＭ要素受信から、自身に対するバッファされたトラフィックが存在するという情報が取得できなかったため、ＴＩＭ要素受信のためのウェイクアップインターバルを調整してもよい。又は、ＡＰ ２１０によって送信されるビーコンフレームにＳＴＡ１ ２２０のウェイクアップインターバル値を調整するためのシグナリング情報が含まれた場合、ＳＴＡ１ ２２０のウェイクアップインターバル値が調整されてもよい。本例示で、ＳＴＡ１ ２２０はビーコンインターバルごとにＴＩＭ要素受信のために運営状態を切り替えたが、３回のビーコンインターバルごとに１回アウェイクするように運営状態を切り替えるように設定してもよい。したがって、ＳＴＡ１ ２２０は、ＡＰ ２１０が四番目のビーコンフレームを送信し（Ｓ２１４）、五番目のビーコンフレームを送信する時点に（Ｓ２１５）スリープ状態を維持するため、ＴＩＭ要素を取得することができない。
【００９８】
ＡＰ ２１０が六番目にビーコンフレームを送信する時（Ｓ２１６）、ＳＴＡ１ ２２０はアウェイク状態に切り替わって動作し、ビーコンフレームに含まれたＴＩＭ要素を取得することができる（Ｓ２２４）。ＴＩＭ要素は、ブロードキャストフレームが存在することを示すＤＴＩＭであるから、ＳＴＡ１ ２２０はＰＳ−ＰｏｌｌフレームをＡＰ ２１０に送信することなく、ＡＰ ２１０によって送信されるブロードキャストフレームを受信することができる（Ｓ２３４）。一方、ＳＴＡ２ ２３０に設定されたウェイクアップインターバルはＳＴＡ１ ２２０に比べて長い周期に設定されてもよい。そのため、ＳＴＡ２ ２３０は、ＡＰ ２１０が五番目にビーコンフレームを送信する時点（Ｓ２１５）にアウェイク状態に切り替わってＴＩＭ要素を受信することができる（Ｓ２４１）。ＳＴＡ２ ２３０は、ＴＩＭ要素から、自身に送信されるフレームが存在することがわかり、フレーム送信を要求するためにＡＰ ２１０にＰＳ−Ｐｏｌｌフレームを送信することができる（Ｓ２４１ａ）。ＡＰ ２１０はＰＳ−Ｐｏｌｌフレームに対応してＳＴＡ２ ２３０にフレームを送信することができる（Ｓ２３３）。
【００９９】
図９のような節電モードの運営のためにＴＩＭ要素には、ＳＴＡに送信されるフレームが存在するか否かを示すＴＩＭ、又はブロードキャスト／マルチキャストフレームが存在するか否かを示すＤＴＩＭが含まれる。ＤＴＩＭはＴＩＭ要素のフィールド設定によって具現することができる。
【０１００】
図１０乃至図１２は、ＴＩＭを受信したＳＴＡの動作を詳しく説明するための図である。
【０１０１】
図１０を参照すると、ＳＴＡは、ＡＰからＴＩＭを含むビーコンフレームを受信するためにスリープ状態からアウェイク状態に切り替わり、受信したＴＩＭ要素を解釈して、自身に送信されるバッファされたトラフィックがあることを確認できる。ＳＴＡは、ＰＳ−Ｐｏｌｌフレームの送信のための媒体アクセスのために他のＳＴＡと競合（ｃｏｎｔｅｎｄｉｎｇ）を行った後に、ＡＰにデータフレーム送信を要求するためにＰＳ−Ｐｏｌｌフレームを送信することができる。ＳＴＡによって送信されたＰＳ−Ｐｏｌｌフレームを受信したＡＰは、ＳＴＡにフレームを送信することができる。ＳＴＡはデータフレームを受信し、それに対する確認応答（ＡＣＫ）フレームをＡＰに送信することができる。以降、ＳＴＡは再びスリープ状態に切り替わり得る。
【０１０２】
図１０のように、ＡＰは、ＳＴＡからＰＳ−Ｐｏｌｌフレームを受信した後、所定の時間（例えば、ＳＩＦＳ（Ｓｈｏｒｔ  Ｉｎｔｅｒ−Ｆｒａｍｅ  Ｓｐａｃｅ））後にデータフレームを送信する即時応答（ｉｍｍｅｄｉａｔｅ  ｒｅｓｐｏｎｓｅ）方式によって動作することができる。一方、ＡＰがＰＳ−Ｐｏｌｌフレームを受信した後に、ＳＴＡに送信するデータフレームをＳＩＦＳ時間の間に用意できなかった場合は、遅れた応答（ｄｅｆｅｒｒｅｄ  ｒｅｓｐｏｎｓｅ）方式によって動作してもよく、それについて図１１を参照して説明する。
【０１０３】
図１１の例で、ＳＴＡがスリープ状態からアウェイク状態に切り替わってＡＰからＴＩＭを受信し、競合を経てＰＳ−ＰｏｌｌフレームをＡＰに送信する動作は、図１０の例示と同一である。ＡＰがＰＳ−Ｐｏｌｌフレームを受信したが、ＳＩＦＳの間にデータフレームを用意できなかった場合、データフレームを送信する代わりにＡＣＫフレームをＳＴＡに送信してもよい。ＡＰは、ＡＣＫフレーム送信後にデータフレームが用意されると、競合を行った後、データフレームをＳＴＡに送信することができる。ＳＴＡはデータフレームを成功裏に受信したことを示すＡＣＫフレームをＡＰに送信し、スリープ状態に切り替わり得る。
【０１０４】
図１２は、ＡＰがＤＴＩＭを送信する例示に関するものである。ＳＴＡはＡＰからＤＴＩＭ要素を含むビーコンフレームを受信するためにスリープ状態からアウェイク状態に切り替わってもよい。これらのＳＴＡは、受信したＤＴＩＭから、マルチキャスト／ブロードキャストフレームが送信されることがわかる。ＡＰは、ＤＴＩＭを含むビーコンフレームを送信後に、ＰＳ−Ｐｏｌｌフレームの送受信動作無しで直ちにデータ（すなわち、マルチキャスト／ブロードキャストフレーム）を送信することができる。これらのＳＴＡは、ＤＴＩＭを含むビーコンフレームを受信してから引き続きアウェイク状態を維持しながらデータを受信し、データ受信が完了した後再びスリープ状態に切り替わり得る。
【０１０５】
ＴＩＭ構造
図９乃至図１２を参照して上述したＴＩＭ（又は、ＤＴＩＭ）プロトコルに基づく節電モード運営方法において、ＳＴＡは、ＴＩＭ要素に含まれたＳＴＡ識別情報から、自身のために送信されるデータフレームが存在するか否かを確認することができる。ＳＴＡ識別情報は、ＳＴＡとＡＰとの連携（ａｓｓｏｃｉａｔｉｏｎ）時にＳＴＡに割り当てられた識別子であるＡＩＤ（Ａｓｓｏｃｉａｔｉｏｎ  Ｉｄｅｎｔｉｆｉｅｒ）に関する情報であってよい。
【０１０６】
ＡＩＤは一つのＢＳＳ内ではそれぞれのＳＴＡに対する固有の（ｕｎｉｑｕｅ）識別子として使われる。一例として、現在無線ＬＡＮシステムにおいてＡＩＤとしては１から２００７までのいずれか一つの値を割り当てることができる。現在定義されている無線ＬＡＮシステムでは、ＡＰ及び／又はＳＴＡが送信するフレームにはＡＩＤのために１４ビットを割り当てることができ、ＡＩＤ値は１６３８３まで割り当てることができるが、２００８〜１６３８３は予備（ｒｅｓｅｒｖｅｄ）値として設定されている。
【０１０７】
既存の定義によるＴＩＭ要素は、一つのＡＰに多数（例えば、２００７個を超える）のＳＴＡが連携され得るＭ２Ｍアプリケーションの適用には適していない。既存のＴＩＭ構造をそのまま拡張するとＴＩＭビットマップのサイズが過大になるため、既存のフレームフォーマットでは支援することができず、また、低い伝送レートのアプリケーションを考慮するＭ２Ｍ通信に適していない。また、Ｍ２Ｍ通信では、一つのビーコン周期の間に受信データフレームが存在するＳＴＡの個数は大変少ないと予想される。したがって、このようなＭ２Ｍ通信の適用例を考慮すれば、ＴＩＭビットマップのサイズは大きくなるが、大部分のビットが０値を有する場合が多く発生すると予想されるため、ビットマップを効率的に圧縮する技術が要求される。
【０１０８】
既存のビットマップ圧縮技術として、ビットマップの先頭部分に連続する０を省略し、オフセット（ｏｆｆｓｅｔ）（又は、開始点）値で定義する方案がある。しかし、バッファされたフレームが存在するＳＴＡの個数は少ないが、それぞれのＳＴＡのＡＩＤ値の差が大きい場合には圧縮効率が高くない。例えば、ＡＩＤが１０と２０００の値であるただ２つのＳＴＡに送信するフレームのみがバッファされている場合、圧縮されたビットマップの長さは１９９０であるが、両端を除いてはいずれも０の値を有することになる。一つのＡＰに連携され得るＳＴＡの個数が少ない場合にはビットマップ圧縮の非効率性があまり問題にならないが、ＳＴＡの個数が増加する場合は、このような非効率性が全体システム性能を阻害する要素になることもある。
【０１０９】
これを解決するための方案として、ＡＩＤを複数のグループに分けてより効果的なデータ送信を行うようにすることができる。各グループには、指定されたグループＩＤ（ＧＩＤ）が割り当てられる。このようなグループベースで割り当てられるＡＩＤについて図１３を参照して説明する。
【０１１０】
図１３（ａ）は、グループベースで割り当てられたＡＩＤの一例を示す図である。図１３（ａ）の例示では、ＡＩＤビットマップの先頭部におけるいくつかのビットを、ＧＩＤを示すために用いることができる。例えば、ＡＩＤビットマップにおける先頭の２ビットを用いて４個のＧＩＤを示すことができる。ＡＩＤビットマップの全体長がＮビットである場合、先頭の２ビット（Ｂ１及びＢ２）の値は当該ＡＩＤのＧＩＤを示す。
【０１１１】
図１３（ｂ）は、グループベースで割り当てられたＡＩＤの他の例を示す図である。図１３（ｂ）の例では、ＡＩＤの位置によってＧＩＤを割り当てることができる。このとき、同一のＧＩＤを使用するＡＩＤはオフセット（ｏｆｆｓｅｔ）及び長さ（ｌｅｎｇｔｈ）の値で表現することができる。例えば、ＧＩＤ １がオフセットＡ及び長さＢで表現されると、ビットマップ上でＡ乃至Ａ＋Ｂ−１のＡＩＤがＧＩＤ １を有するということを意味する。例えば、図１３（ｂ）の例示で、全体１乃至Ｎ４のＡＩＤが４個のグループに分割されると仮定する。この場合、ＧＩＤ １に属するＡＩＤは１乃至Ｎ１であり、このグループに属するＡＩＤはオフセット１及び長さＮ１で表現することができる。次に、ＧＩＤ ２に属するＡＩＤをオフセットＮ１＋１及び長さＮ２−Ｎ１＋１で表現することができ、ＧＩＤ ３に属するＡＩＤをオフセットＮ２＋１及び長さＮ３−Ｎ２＋１で表現することができ、ＧＩＤ ４に属するＡＩＤをオフセットＮ３＋１及び長さＮ４−Ｎ３＋１で表現することができる。
【０１１２】
このようなグループベースで割り当てられるＡＩＤが導入されると、ＧＩＤによって異なる時間区間にチャネルアクセスを許容できるようにすることによって、多数のＳＴＡに対するＴＩＭ要素不足の問題を解決すると同時に、効率的なデータの送受信を行うことができる。例えば、特定時間区間では特定グループに該当するＳＴＡにのみチャネルアクセスが許容され、残り他のＳＴＡにはチャネルアクセスが制限（ｒｅｓｔｒｉｃｔ）されてもよい。このように特定ＳＴＡにのみアクセスが許容される所定の時間区間を、制限されたアクセスウィンドウ（Ｒｅｓｔｒｉｃｔｅｄ  Ａｃｃｅｓｓ  Ｗｉｎｄｏｗ；ＲＡＷ）と呼ぶこともできる。
【０１１３】
ＧＩＤによるチャネルアクセスについて図１３（ｃ）を参照して説明する。図１３（ｃ）では、ＡＩＤが３個のグループに分けられている場合、ビーコンインターバルによるチャネルアクセスメカニズムを例示的に示す。一番目のビーコンインターバル（又は、一番目のＲＡＷ）は、ＧＩＤ １に属するＡＩＤに該当するＳＴＡのチャネルアクセスが許容される区間で、他のＧＩＤに属するＳＴＡのチャネルアクセスは許容されない。これを具現するために、一番目のビーコンにはＧＩＤ １に該当するＡＩＤのみのためのＴＩＭ要素が含まれる。二番目のビーコンフレームにはＧＩＤ ２を有するＡＩＤのみのためのＴＩＭ要素が含まれ、これによって二番目のビーコンインターバル（又は、二番目のＲＡＷ）の間には、ＧＩＤ ２に属するＡＩＤに該当するＳＴＡのチャネルアクセスのみが許容される。三番目のビーコンフレームには、ＧＩＤ ３を有するＡＩＤのみのためのＴＩＭ要素が含まれ、これによって三番目のビーコンインターバル（又は、三番目のＲＡＷ）の間には、ＧＩＤ ３に属するＡＩＤに該当するＳＴＡのチャネルアクセスのみが許容される。四番目のビーコンフレームには再びＧＩＤ １を有するＡＩＤのみのためのＴＩＭ要素が含まれ、これによって四番目のビーコンインターバル（又は、四番目のＲＡＷ）の間には、ＧＩＤ １に属するＡＩＤに該当するＳＴＡのチャネルアクセスのみが許容される。続いて、五番目以降のビーコンインターバル（又は、五番目以降のＲＡＷ）のそれぞれにおいても、当該ビーコンフレームに含まれたＴＩＭで示す特定グループに属したＳＴＡのチャネルアクセスのみが許容されてもよい。
【０１１４】
図１３（ｃ）では、ビーコンインターバルによって許容されるＧＩＤの順序が循環的又は周期的である例を示しているが、これに制限されることはない。すなわち、ＴＩＭ要素に特定ＧＩＤに属するＡＩＤのみを含めることによって、特定時間区間（例えば、特定ＲＡＷ）の間に、これら特定ＡＩＤに該当するＳＴＡのみのチャネルアクセスを許容し、残りのＳＴＡのチャネルアクセスは許容しない方式で動作してもよい。
【０１１５】
前述したようなグループベースＡＩＤ割当て方式は、ＴＩＭの階層的（ｈｉｅｒａｒｃｈｉｃａｌ）構造と呼ぶこともできる。すなわち、全体ＡＩＤ空間を複数個のブロックに分割し、０以外の値を持つ特定ブロックに該当するＳＴＡ（すなわち、特定グループのＳＴＡ）のチャネルアクセスのみが許容されるようにすることができる。これによって、大きいサイズのＴＩＭを小さいブロック／グループに分割して、ＳＴＡがＴＩＭ情報を維持しやすくし、ＳＴＡのクラス、サービス品質（ＱｏＳ）、又は用途によってブロック／グループが管理しやすくなる。図１３の例示では２−レベルの階層を示しているが、２つ以上のレベルの形態で階層的構造のＴＩＭが構成されてもよい。例えば、全体ＡＩＤ空間を複数個のページ（ｐａｇｅ）グループに分割し、それぞれのページグループを複数個のブロックに区別し、それぞれのブロックを複数個のサブ−ブロックに分割することができる。このような場合、図１３（ａ）の例示の拡張として、ＡＩＤビットマップにおいて先頭のＮ１個のビットはページＩＤ（すなわち、ＰＩＤ）を示し、その次のＮ２個のビットはブロックＩＤを示し、その次のＮ３個のビットはサブ−ブロックＩＤを示し、残りのビットがサブ−ブロック内のＳＴＡビット位置を示す方式で構成されてもよい。
【０１１６】
以下に説明する本発明の例示において、ＳＴＡ（又は、それぞれのＳＴＡに割り当てられたＡＩＤ）を所定の階層的なグループ単位に分割して管理する様々な方式が適用されてもよく、グループベースＡＩＤ割当て方式が上記の例示に制限されるものではない。
【０１１７】
ＲＡＷ（Ｒｅｓｔｒｉｃｔｅｄ  Ａｃｃｅｓｓ  Ｗｉｎｄｏｗ）
ＳＴＡが同時にアクセスを行うことから発生する衝突は、媒体の活用率を低下させうる。このため、（グループベースの）ＳＴＡのチャネルアクセスを分散させるための一方案としてＲＡＷを用いることができる。ＡＰは、ＲＡＷと呼ばれる媒体アクセス区間をビーコンインターバルの間に割り当てることができる。これに関する情報（ＲＰＳ（Ｒｅｓｔｒｉｃｔｅｄ  Ａｃｃｅｓｓ  Ｗｉｎｄｏｗ  Ｐａｒａｍｅｔｅｒ  ｓｅｔ）要素）は、（ショート）ビーコンフレームによって送信することができる。ＡＰは、ビーコンインターバルの間に、上記ＲＡＷに加えて、他のグループのための、他のＲＡＷパラメータに関連したＲＡＷを１つ以上さらに割り当てることもできる。
【０１１８】
図１４に、ＲＡＷの一例を示す。図１４を参照すると、ＲＡＷに該当する特定グループのＳＴＡは、ＲＡＷで（より正確には、ＲＡＷのスロットのいずれか１つで）アクセスを行うことができる。ここで、特定グループは、後述するＲＡＷグループフィールドなどによって指示することができる。すなわち、ＳＴＡは、自身のＡＩＤがＲＡＷグループフィールドなどで指示するＡＩＤ範囲に属するか否かを判断することによって、特定グループ（ＲＡＷグループ）に該当するか否かがわかる。例えば、ＳＴＡのＡＩＤが、ＲＡＷに割り当てられた最低のＡＩＤ（Ｎ１）より大きい又は同一であり、ＲＡＷに割り当てられた最高のＡＩＤ（Ｎ２）より小さい又は同一であると、このＳＴＡは、ＲＡＷグループフィールドによって指示されるＲＡＷグループに属しているといえる。ここで、Ｎ１は、ページインデックスサブフィールドとＲＡＷ開始ＡＩＤサブフィールドとの連鎖によって、Ｎ２は、ページインデックスサブフィールドとＲＡＷ終了ＡＩＤサブフィールドとの連鎖によって決定することができ、各サブフィールドはＲＰＳ要素におけるＲＡＷグループサブフィールドに含まれてもよい。
【０１１９】
このように、ＳＴＡが図１４に例示したＲＡＷグループに該当する場合（そして、ページされた場合）、該ＳＴＡは、割り当てられたスロットでＤＣＦ、ＥＤＣＡに基づいてＰＳ−Ｐｏｌｌフレームを送信することによってアクセスを行うことができる。ここで、割り当てられたスロットは、ＲＡＷに含まれたスロットのいずれか１つをＡＰが割り当てたものであってもよい。スロットの割当ては、図１５に示すような方式で行うことができる。図１５（ａ）及び図１５（ｂ）両方とも、基本的に、スロットはｉｓｌｏｔ＝（ｘ＋Ｎｏｆｆｓｅｔ）ｍｏｄＮＲＡＷによって決定され、ここで、ｘはＳＴＡのＡＩＤ、ｉｓｌｏｔはＳＴＡに割り当てられるスロットインデックス、Ｎｏｆｆｓｅｔは、（ショート）ビーコンフレームのＦＣＳフィールドの２つのＬＳＢ（Ｌｅａｓｔ  ｓｉｇｎｉｆｉｃａｎｔ  ｂｙｔｅ）を表し、ＮＲＡＷは、ＲＡＷに含まれたタイムスロットの個数を表し、ＲＰＳ要素におけるＲＡＷスロット定義サブフィールド（ＲＡＷ  Ｓｌｏｔ  Ｄｅｆｉｎｉｔｉｏｎ  ｓｕｂｆｉｅｌｄ）から決定され得る値である。図１５（ａ）は、ＡＩＤがＴＩＭビットマップで１に設定されたか否かに拘わらない場合のスロット割当てを、図１５（ｂ）は、ＴＩＭビットマップで１に設定されたＡＩＤにのみスロットが割り当てられる場合を示す。
【０１２０】
ＲＰＳ（Ｒｅｓｔｒｉｃｔｅｄ  Ａｃｃｅｓｓ  Ｗｉｎｄｏｗ  Ｐａｒａｍｅｔｅｒ  ｓｅｔ）要素（ｅｌｅｍｅｎｔ）
ＲＰＳ要素は、上述したＲＡＷのために必要なパラメータセットを含む。この情報フィールドは、グループ１からＮのためのＲＡＷ割当てフィールドを含む。図１６には、ＲＰＳ要素が示されている。具体的には、図１６（ａ）には、ＲＰＳ要素を構成するフィールドが、図１６（ｂ）には、ＲＡＷ  Ｎ割当て（ＲＡＷ  Ｎ  Ａｓｓｉｇｎｍｅｎｔ）フィールドを構成するサブフィールドが、図１６（ｃ）には、ＲＡＷ  Ｎ割当てフィールドのフィールドにおけるＲＡＷグループサブフィールドの構成が、図１６（ｄ）には、ＲＡＷ  Ｎ割当てフィールドにおけるオプション（Ｏｐｔｉｏｎ）サブフィールドの構成がそれぞれ示されている。
【０１２１】
図１６（ａ）を参照すると、ＲＰＳ要素は、要素ＩＤ（Ｅｌｅｍｅｎｔ  ＩＤ）フィールド、長さ（Ｌｅｎｇｔｈ）フィールド、ＲＡＷ  Ｎ割当て（ＲＡＷ  Ｎ  Ａｓｓｉｇｎｍｅｎｔ）フィールドを含むことができる。
【０１２２】
図１６（ｂ）を参照すると、ＲＡＷ  Ｎ割当てフィールドは、ＰＲＡＷ指示（ＰＲＡＷ  ｉｎｄｉｃａｔｉｏｎ）サブフィールド、同一グループ指示（Ｓａｍｅ  Ｇｒｏｕｐ  Ｉｎｄｉｃａｔｉｏｎ）サブフィールド、ＲＡＷグループ（ＲＡＷ  Ｇｒｏｕｐ）サブフィールド、ＲＡＷ開始時間（ＲＡＷ  Ｓｔａｒｔ  Ｔｉｍｅ）サブフィールド、ＲＡＷ区間（ＲＡＷ  Ｄｕｒａｔｉｏｎ）サブフィールド、オプション（Ｏｐｔｉｏｎｓ）サブフィールド、ＲＡＷスロット定義（ＲＡＷ  Ｓｌｏｔ  Ｄｅｆｉｎｉｔｉｏｎ）サブフィールドなどを含むことができる。
【０１２３】
ＰＲＡＷ指示（ＰＲＡＷ  ｉｎｄｉｃａｔｉｏｎ）サブフィールドは、現在のＲＡＷ割当てフィールドが普通のＲＡＷか或いはＰＲＡＷかを示す。同一グループ指示（Ｓａｍｅ  Ｇｒｏｕｐ  Ｉｎｄｉｃａｔｉｏｎ）サブフィールドは、現在ＲＡＷ割当てフィールドに関連したＲＡＷグループが、以前ＲＡＷ割当てフィールドで定義されたＲＡＷグループと同一であるか否かを示す。仮に、同一グループ指示サブフィールドが１に設定されると、これは、現在ＲＡＷ割当てフィールドのＲＡＷグループが以前ＲＡＷ割当てフィールドで定義されたＲＡＷグループと同一であることを示し、よって、現在ＲＡＷ割当てフィールドはＲＡＷグループフィールドを含まない。ＲＡＷグループ（ＲＡＷ  Ｇｒｏｕｐ）サブフィールドは、現在ＲＡＷ割当てフィールドに関連したグループのＳＴＡのＡＩＤ範囲を示す。ＲＡＷグループフィールドは、図１６（ｃ）に示すように、ページインデックス（Ｐａｇｅ  ｉｎｄｅｘ）、ＲＡＷ開始ＡＩＤ（ＲＡＷ  Ｓｔａｒｔ  ＡＩＤ）、ＲＡＷ終了ＡＩＤ（ＲＡＷ  Ｅｎｄ  ＡＩＤ）サブフィールドで構成することができ、それらによってＡＩＤの範囲がどのように決定されるかは、上述のＲＡＷに関する説明で言及したため省略する。
【０１２４】
続いて、ＲＡＷ開始時間（ＲＡＷ  Ｓｔａｒｔ  Ｔｉｍｅ）サブフィールドは、ＴＵ単位の、ビーコン送信の終了時点からＲＡＷの開始時点までの時間を示し、ＲＡＷ区間（ＲＡＷ  Ｄｕｒａｔｉｏｎ）サブフィールドもＴＵ単位であって、ＲＡＷに割り当てられた、制限された媒体アクセスの時間区間を示す。オプション（Ｏｐｔｉｏｎｓ）サブフィールドは、ページされたＳＴＡのみがＲＡＷでアクセス可能か否かを示す、ページされたＳＴＡのみに制限されたアクセス（Ａｃｃｅｓｓ  Ｒｅｓｔｒｉｃｔｅｄ  ｔｏ  Ｐａｇｅｄ  ＳＴＡｓ  Ｏｎｌｙ）サブフィールドを含む。ＲＡＷスロット定義（ＲＡＷ  Ｓｌｏｔ  Ｄｅｆｉｎｉｔｉｏｎ）サブフィールドは、スロット区間（Ｓｌｏｔ  Ｄｕｒａｔｉｏｎ）サブフィールド、スロット割当て（Ｓｌｏｔ  Ａｓｓｉｇｎｍｅｎｔｓ）サブフィールド、交差スロット境界（Ｃｒｏｓｓ  Ｓｌｏｔ  Ｂｏｕｎｄａｒｙ）サブフィールドを含むことができる。上述した説明で言及していないＲＰＳ要素に含まれる情報及び上述した説明で詳述していない情報／フィールドについては、ＩＥＥＥ  Ｐ８０２．１１ａｈ／Ｄ０．１文書を参照することができる。
【０１２５】
上述したように、ＲＡＷは、特定グループに属したＳＴＡに、チャネルアクセスを行う区間をそれぞれ割り当てる方法であり、ＳＴＡが特定グループに属するか否かは、基本的に、ＲＡＷグループフィールドで示すＡＩＤの範囲によって決定される。ただし、ビーコンフレームにＴＩＭが含まれ、ＴＩＭで示すＳＴＡに対してＲＡＷのスロットが割り当てられる場合、ＲＰＳ要素が当該ＲＡＷのためにＲＡＷグループフィールドを含めなくてもよい。言い換えると、ＴＩＭビットマップによって決定されるＡＩＤの範囲が、ＲＡＷグループフィールドによって指示／決定されるＡＩＤの範囲と同一である場合、ＲＡＷグループフィールドを省略してもよい。これは、ＲＰＳ要素が２４＊ｎビットを減らすことができるということを意味し、また、ビーコンフレームの大きさを減らすことができるということを意味する。以下では、これに関する実施例について詳しく説明する。
【０１２６】
実施例１
前述したように、ＲＰＳ要素に含まれた同一グループ指示サブフィールドは、現在のＲＡＷ割当てフィールドに関連したＲＡＷグループが、以前ＲＡＷ割当てフィールドで定義されたＲＡＷグループと同一であるか否かを示す。このため、仮に現在のＲＡＷ割当てフィールドがＲＰＳ要素の最初のＲＡＷ割当てフィールドであると、現在のＲＡＷ割当てフィールドの以前ＲＡＷ割当てフィールドは存在しない。その結果、現在のＲＡＷ割当てフィールドがＲＰＳ要素の最初のＲＡＷ割当てフィールドである場合、同一グループ指示サブフィールドは常に０に設定される。これに着目し、現在のＲＡＷ割当てフィールドがＲＰＳ要素の最初のＲＡＷ割当てフィールドであり、同一グループ指示サブフィールド値が１に設定されると、現在のＲＡＷ割当てフィールドに関連したＲＡＷグループのＡＩＤ範囲がＴＩＭビットマップに含まれたＳＴＡの情報と同一であるか否かを示すように設定することができる。すなわち、現在のＲＡＷ割当てフィールドがＲＰＳ要素の最初のＲＡＷ割当てフィールドであり、同一グループ指示サブフィールド値が１に設定されると、ＲＡＷグループフィールドによって決定されるＡＩＤの範囲を、ＴＩＭビットマップによって決定されるようにする。このような場合、現在のＲＡＷ割当てフィールドに関連したＲＡＷグループに該当するＡＩＤの範囲が、（ショート）ビーコンフレームに含まれたＴＩＭビットマップによって指示されるため、ＲＰＳ要素、より具体的にはＲＡＷ割当てフィールドはＲＡＷグループサブフィールドを含む必要がない。
【０１２７】
上記のように設定された場合、ＳＴＡのアクセスは次のとおりである。ＳＴＡは、タイムスタンプを含む所定のフレーム、すなわち、（ショート）ビーコンフレームを受信し、所定のフレームに含まれたＲＡＷ割当てフィールドを確認する。ＳＴＡがＲＡＷ割当てフィールドに関連したＲＡＷグループに属する場合、ＲＡＷ割当てフィールドのサブフィールドに基づいて決定されたタイムスロットでアクセスを行うことができる。ここで、ＲＡＷグループに属するか否かは、ＳＴＡのＡＩＤがＡＩＤ範囲に含まれるか否かによって決定するが、仮にＲＡＷ割当てフィールドがＲＰＳ要素の二番目以降のＲＡＷ割当てフィールドであると、ＲＡＷグループフィールドによってＡＩＤの範囲を決定することができる。一方、仮にＲＡＷ割当てフィールドがＲＰＳ要素の最初のＲＡＷ割当てフィールドであり、同一グループ指示が１に設定されていると、ＡＩＤの範囲をＴＩＭビットマップによって決定することができる。上述したＳＴＡのアクセスは、同一グループ指示と同一のサブフィールドに含まれたオプション（Ｏｐｔｉｏｎｓ  ｓｕｂｆｉｅｌｄ）の最初のビット（すなわち、ビット０、Ａｃｃｅｓｓ  ｒｅｓｔｒｉｃｔｅｄ  ｔｏ  Ｐａｇｅｄ  ＳＴＡｓ  ｏｎｌｙサブフィールド）の値は０に設定された場合に関する。上述したＳＴＡの動作は、ＳＴＡのＡＩＤがＡＩＤ範囲に属するとＳＴＡがアクセスを行うが、オプションの最初のビット値が０である場合、ＡＩＤ範囲に含まれるＳＴＡがＴＩＭビットマップでページされなくてもアクセスが許容されるためである。仮に、オプションサブフィールドの最初のビット（ビット０）値が１に設定された場合、ＳＴＡはＴＩＭでページされた場合にのみチャネルアクセスが可能である。さらにいうと、仮にＲＡＷ割当てフィールドがＲＰＳ要素の二番目以降のＲＡＷ割当てフィールドである場合において、同一グループ指示が０に設定されると、ＡＩＤの範囲はＲＡＷグループフィールドによって決定され、同一グループ指示が１に設定されると、ＡＩＤの範囲は以前ＲＡＷ割当てフィールドによって決定されるはずである。このとき、最初のＲＡＷ割当てフィールドにおいて同一グループ指示子が１に設定されていると、二番目以降のＲＡＷ割当てフィールドで同一グループ指示が１に設定されていることは、二番目以降のＲＡＷも、ＡＩＤの範囲がＴＩＭビットマップで示すＡＩＤ範囲と同一であるということを意味する。
【０１２８】
要するに、最初のＲＡＷ割当てフィールドの同一グループ指示が１に設定されていると、最初のＲＡＷ割当てフィールドのＲＡＷグループが（ショート）ビーコンフレームのＴＩＭビットマップによって決定される。すなわち、ＴＩＭビットマップが（ショート）ビーコンフレームに含まれ、ページインデックスがＴＩＭビットマップのページインデックスに設定され、ＲＡＷ開始ＡＩＤサブフィールドはＴＩＭビットマップの最小のＡＩＤに、ＲＡＷ終了ＡＩＤサブフィールドはＴＩＭビットマップの最大のＡＩＤに設定される。２つ以上のＴＩＭビットマップがビーコンに含まれていると、オプションサブフィールドのビット０が１に設定される場合にのみ、最初のＲＡＷ割当てフィールドの同一グループ指示ビットは１に設定されることが好ましく、詳細な方法はＡＰの具現時に決定されるはずである。この場合、ＲＡＷ開始ＡＩＤ及び関連したページインデックスはそれぞれ、最初のＴＩＭビットマップの最小のＡＩＤ及びＴＩＭビットマップのページインデックスに設定され、ＲＡＷ終了ＡＩＤ及び関連したページインデックスはそれぞれ、ＴＩＭビットマップの最大のＡＩＤ及びＴＩＭビットマップのページインデックスに設定される。
【０１２９】
図１７には、上述したようなＲＡＷ割当てフィールドが例示されている。図１７に示すように、ＲＡＷ１割当てフィールド１７０１の同一グループ指示１７０２が１に設定されていると、これは、ＲＡＷ１に関連したＲＡＷグループＡＩＤ範囲がビーコンフレームに含まれたＴＩＭビットマップ１７０３によって決定されることを意味する。図１７で、ＴＩＭビットマップではＡＩＤ範囲が１〜８であるから、ＲＡＷ１割当てフィールドに関連したＲＡＷグループのＡＩＤ範囲も１〜８となる。仮にＴＩＭビットマップで示すＳＴＡの情報に基づいてＲＡＷグループサブフィールドの情報が決定されると、フィールド構成は、同図のＲＡＷグループサブフィールド１７０４のとおりになる。図１７では、オプション値（ページされたＳＴＡにのみアクセスが許容されるか否かを示すサブフィールド値であり、Ａｃｃｅｓｓ  Ｒｅｓｔｒｉｃｔｅｄ  ｔｏ  Ｐａｇｅ  ＳＴＡｓ  Ｏｎｌｙサブフィールドでよい。）が１に設定された場合、すなわち、ＴＩＭビットマップでページされたＳＴＡ１，２，４，５のみにＲＡＷの各スロットを割り当てた場合である。ここで、ＳＴＡとスロット割当てとの関係は図示のそれとは異なってもよい。以下、図１８乃至図２６を参照して、上述した説明の様々な変形例を説明する。以下、図１８乃至図２６に関する説明は、前述した実施例１の包括的な説明に基づくし、特別に言及される部分以外は、基本的に図１７に関する説明を準用する。
【０１３０】
図１８は、ページ１に対するＴＩＭビットマップ（ＡＩＤ範囲１〜８）とページ２に対するＴＩＭビットマップ（ＡＩＤ範囲３３〜４０）が存在する場合の例である。同一グループ指示サブフィールドが１に設定される場合、ＲＡＷ１割当てフィールドに関連したＲＡＷグループのＡＩＤ範囲は、ページ１に対するＴＩＭビットマップ及びページ２に対するＴＩＭビットマップに該当するＡＩＤ範囲、すなわち、ＡＩＤ１〜８及び３３〜４０とすることができる。ＲＡＷグループフィールドが用いられる場合、図示のような２つのＲＡＷグループサブフィールドを用いることができる。仮にＯｐｔｉｏｎ値が０であると、図示とは違い、ＲＡＷ１にＳＴＡ１〜８及び３３〜４０を割り当てることができる。
【０１３１】
図１９も図１８と同様に、ページ１に対するＴＩＭビットマップ（ＡＩＤ範囲１〜８）とページ２に対するＴＩＭビットマップ（ＡＩＤ範囲３３〜４０）が存在する場合を示している。図１８との相違点は、ＡＩＤの範囲がＴＩＭビットマップで示す最初のＡＩＤからＴＩＭビットマップで示す最後のページされたＳＴＡのＡＩＤまでとなるということである。すなわち、ＡＩＤの範囲は、ＡＩＤ  １〜５及びＡＩＤ  ３３〜３７である。
【０１３２】
図２０は、ページ１に対するＴＩＭビットマップの最初のブロックにＡＩＤ１〜８に関するＳＴＡ情報を含んでおり、ページ１に対するＴＩＭビットマップの他のブロックがＡＩＤ３３〜４０に関するＳＴＡ情報を含んでいる場合である。図２０で、同一グループ指示サブフィールドが１に設定される場合、ＲＡＷ１割当てフィールドに関連したＲＡＷグループのＡＩＤ範囲は、ＡＩＤ１〜８及び３３〜４０とすることができる。ＲＡＷグループフィールドが用いられる場合、図示のような２つのＲＡＷグループサブフィールドを用いることができる。仮にＯｐｔｉｏｎｓサブフィールドにおいてビット０に該当するＡｃｃｅｓｓ  Ｒｅｓｔｒｉｃｔｅｄ  ｔｏ  Ｐａｇｅ  ＳＴＡｓ  Ｏｎｌｙビットの値が０であれば、図示とは違い、ＲＡＷ１にＳＴＡ１〜８及び３３〜４０を割り当てることができる。
【０１３３】
図２１は、図２０の場合において、ＡＩＤの範囲が、ＴＩＭビットマップの各ブロックの最初のＡＩＤからＴＩＭビットマップの各ブロックの最後のページのＳＴＡのＡＩＤまでであるという点だけが変更されている。すなわち、図２１で、ＡＩＤの範囲は、ＡＩＤ１〜５及びＡＩＤ３３〜３７である。
【０１３４】
図２２は、図２０の場合に比べて、ＡＩＤの範囲が、ＴＩＭビットマップの最初のブロックの最初のＡＩＤから最後のブロックの最後のＡＩＤまでであるという点だけが異なる。すなわち、２つのブロックの間における全てのＳＴＡをＲＡＷグループに属したＳＴＡと指定することができる。
【０１３５】
図２３は、図２２と同様に、各ブロックの間におけるＡＩＤをＡＩＤ範囲に含めるが、開始ＡＩＤを最初のブロックの最初のページのＳＴＡ、最後のＡＩＤを最後のブロックの最後のページのＡＩＤとする点で異なる。すなわち、図２３で、ＡＩＤの範囲はＡＩＤ２〜３７である。
【０１３６】
図２４の場合も、各ブロックの間におけるＡＩＤをＡＩＤ範囲に含めるが、開始ＡＩＤを最初のブロックの最初のＳＴＡ、最後のＡＩＤを最後のブロックの最後のページのＡＩＤとした場合である。
【０１３７】
図２５では、ＡＩＤの範囲がＴＩＭビットマップの最初のＡＩＤからページが付されたＡＩＤまでである場合を示している。すなわち、ＡＩＤの範囲は、ＡＩＤ１〜５である。そして、図２６は、２つのページに対するＴＩＭビットマップの場合であり、ＡＩＤの範囲はＡＩＤ１〜５及びＡＩＤ３３〜３７である。
【０１３８】
実施例２
実施例２は、同一グループ指示サブフィールドを活用する前述した実施例１と違い、ＲＡＷ割当てフィールドに関連したＲＡＷグループがＴＩＭ  ＩＥで示すグループ情報と同一であるか否かを示す新しいフィールド（同一ＴＩＭ指示サブフィールド、Ｓａｍｅ  ＴＩＭ  Ｉｎｄｉｃａｔｉｏｎ  ｓｕｂｆｉｅｌｄ）を導入する。同一ＴＩＭ指示サブフィールドは、ＴＩＭで示す全てのＳＴＡの情報（グループ及びＳＴＡのＡＩＤ情報）と同一の情報としてＲＡＷが割り当てられたか否かを示すことができる。図２７には、このような同一ＴＩＭ指示サブフィールドを含むＲＡＷ割当てフィールドが例示されている。
【０１３９】
同一ＴＩＭ指示サブフィールドが１に設定されることは、ＴＩＭで示す全ＳＴＡと同一のグループ情報を有することを意味する。この場合、ＡＰは、ＲＰＳ要素にＲＡＷグループサブフィールドを省略してもよい。同一ＴＩＭ指示サブフィールドが０に設定されることは、ＴＩＭにおけるグループ情報が現在ＲＡＷと無関係であることを意味する。このため、別のＲＡＷグループサブフィールドが必要である。図２８には、上記の２つの場合におけるＲＡＷ割当てフィールドの例示をそれぞれ示している。
【０１４０】
図２９及び図３０は、２番目の実施例によるＲＡＷ割当てフィールドが適用されたことを示している。図２９を参照すると、同一ＴＩＭ指示サブフィールドが１に設定されているため、ＴＩＭビットマップで示すＡＩＤの範囲であるＡＩＤ１〜８がＲＡＷ割当てフィールドのＲＡＷグループに該当し得る。図２９は、特に、オプション値が１である場合、すなわち、ＴＩＭでページされたＳＴＡのみがＲＡＷに割り当てられた場合を示す。
【０１４１】
図３０には、ページ１に対するＴＩＭビットマップとページ２に対するＴＩＭビットマップが存在する場合を示しており、同一ＴＩＭ指示サブフィールド値が両方とも１に設定されているため、各ＲＡＷ割当てフィールドに関連したＲＡＷグループのＡＩＤ範囲は、各ページに対するＴＩＭで指示される。
【０１４２】
次の表１は、実施例２以前のＲＡＷ割当てフィールドの場合に必要なビットを、表２は、実施例２が適用される場合にＲＡＷ割当てフィールドに必要なビットを示す。
【０１４３】
【表１】
2016521039.tif 000003
【０１４４】
【表２】
2016521039.tif 000004
【０１４５】
上記の表１及び表２に基づくと、１個のＴＩＭ  ＩＥが送信（すなわち、１個のページに対してＴＩＭ  ＩＥが送信）され、２個のＲＡＷが割り当てられるとき、既存の方法では、ＩＥ Ｔｙｐｅ ＆ Ｌｅｎｇｔｈ（１６ビット）＋２＊ＲＡＷ Ｎ Ａｓｓｉｇｎｍｅｎｔ（７２ビット）＝２０バイト（１６０ビット）であり、実施例２によれば、ＩＥ Ｔｙｐｅ ＆ Ｌｅｎｇｔｈ（１６ビット）＋２＊ＲＡＷ Ｎ Ａｓｓｉｇｎｍｅｎｔ（４８ビット）＝１４バイト（１１２ビット）となり、６バイトを減らすことができる（利得＝２０％オーバーヘッド減少）。
【０１４６】
仮に、２個のＴＩＭ  ＩＥが送信（すなわち、２個のページに対してＴＩＭ  ＩＥが送信）され、各ページに対してＰＳ−Ｐｏｌｌ ＲＡＷとデータＲＡＷが割り当てられるとき、既存の方法では、ＩＥ Ｔｙｐｅ ＆ Ｌｅｎｇｔｈ（１６ビット）＋４＊ＲＡＷ Ｎ Ａｓｓｉｇｎｍｅｎｔ（７２ビット）＝３８バイト（３０４ビット）であり、実施例２によれば、ＩＥ Ｔｙｐｅ ＆ Ｌｅｎｇｔｈ（１６ビット）＋２＊ＲＡＷ Ｎ Ａｓｓｉｇｎｍｅｎｔ（４８ビット）＝１４バイト（１１２ビット）となり、２４バイトを減らすことができる（利得＝６３％オーバーヘッド減少）。
【０１４７】
前述した本発明の様々な実施例で説明した事項は独立して適用されたり又は２つ以上の実施例が同時に適用されるように具現することができる。
【０１４８】
本発明の実施例に係る装置の構成
図３１は、本発明の一実施例に係る無線装置の構成を示すブロック図である。
【０１４９】
ＡＰ １０は、プロセッサ１１、メモリ１２、送受信器１３を備えることができる。ＳＴＡ ２０は、プロセッサ２１、メモリ２２、送受信器２３を備えることができる。送受信器１３，２３は、無線信号を送信／受信することができ、例えば  、ＩＥＥＥ８０２システムに基づく物理層を具現することができる。プロセッサ１１，２１は、送受信器１３，２１と接続してＩＥＥＥ８０２システムに基づく物理層及び／又はＭＡＣ層を具現することができる。プロセッサ１１，２１は、前述した本発明の様々な実施例に係る動作を行うように構成することができる。また、前述した本発明の様々な実施例に係るＡＰ及びＳＴＡの動作を具現するモジュールがメモリ１２，２２に格納され、プロセッサ１１，２１によって実行されてもよい。メモリ１２，２２は、プロセッサ１１，２１の内部に設けられてもよく、又はプロセッサ１１，２１の外部に設けられてプロセッサ１１，２１と公知の手段によって接続されてもよい。
【０１５０】
上記のようなＡＰ及びＳＴＡ装置の具体的な構成は、前述した本発明の様々な実施例で説明した事項が独立して適用されたり又は２つ以上の実施例が同時に適用されるように具現することができて、重複する内容は明確性のために説明を省略する。
【０１５１】
上述した本発明の実施例は、様々な手段を用いて具現することができる。例えば、本発明の実施例は、ハードウェア、ファームウェア（ｆｉｒｍｗａｒｅ）、ソフトウェア又はそれらの結合などによって具現することができる。
【０１５２】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０１５３】
ファームウェアやソフトウェアによる具現の場合、本発明の実施例に係る方法は、以上で説明した機能又は動作を実行するモジュール、手順又は関数などの形態として具現することができる。ソフトウェアコードは、メモリユニットに記憶してプロセッサによって駆動することができる。メモリユニットは、プロセッサの内部又は外部に設けられ、既に公知の様々な手段によってプロセッサとデータを授受することができる。
【０１５４】
以上、開示された本発明の好適な実施の形態に関する詳細な説明は、当業者が本発明を具現し実施できるように提供された。上記では、本発明の好適な実施の形態を参照して説明したが、当該技術の分野における熟練した当業者にとっては、添付の特許請求の範囲に記載された本発明の思想及び領域から逸脱しない範囲内で本発明を様々に修正及び変更させることができるということは明らかである。したがって、本発明は、ここに開示された実施の形態に制限されるものではなく、ここに開示された原理及び新規な特徴と一致する最も広い範囲を与えるためのものである。
【産業上の利用可能性】
【０１５５】
上述したような本発明の様々な実施の形態は、ＩＥＥＥ８０２．１１システムを中心に説明したが、様々な移動通信システムに同様の方式で適用可能である。
【図１】
2016521039.tif 000005
【図２】
2016521039.tif 000006
【図３】
2016521039.tif 000007
【図４】
2016521039.tif 000008
【図５】
2016521039.tif 000009
【図６】
2016521039.tif 000010
【図７（ａ）】
2016521039.tif 000011
【図７（ｂ）】
2016521039.tif 000012
【図８（ａ）】
2016521039.tif 000013
【図８（ｂ）】
2016521039.tif 000014
【図９】
2016521039.tif 000015
【図１０】
2016521039.tif 000016
【図１１】
2016521039.tif 000017
【図１２】
2016521039.tif 000018
【図１３】
2016521039.tif 000019
【図１４】
2016521039.tif 000020
【図１５】
2016521039.tif 000021
【図１６】
2016521039.tif 000022
【図１７】
2016521039.tif 000023
【図１８】
2016521039.tif 000024
【図１９】
2016521039.tif 000025
【図２０】
2016521039.tif 000026
【図２１】
2016521039.tif 000027
【図２２】
2016521039.tif 000028
【図２３】
2016521039.tif 000029
【図２４】
2016521039.tif 000030
【図２５】
2016521039.tif 000031
【図２６】
2016521039.tif 000032
【図２７】
2016521039.tif 000033
【図２８】
2016521039.tif 000034
【図２９】
2016521039.tif 000035
【図３０】
2016521039.tif 000036
【図３１】
2016521039.tif 000037
【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
無線ＬＡＮシステムにおいてＳＴＡ（Ｓｔａｔｉｏｎ）が媒体（ｍｅｄｉｕｍ）にアクセスを実行する方法であって、
ビーコンフレームのＲＡＷ（Ｒｅｓｔｒｉｃｔｅｄ  Ａｃｃｅｓｓ  Ｗｉｎｄｏｗ）パラメータセット（ＲＰＳ）要素に含まれたＲＡＷ割当て（Ｒｅｓｔｒｉｃｔｅｄ  Ａｃｃｅｓｓ  Ｗｉｎｄｏｗ  Ａｓｓｉｇｎｍｅｎｔ）フィールドを確認するステップと、
前記ＳＴＡが前記ＲＡＷ割当てフィールドに関連したＲＡＷグループに属する場合、前記ＲＡＷ割当てフィールドのサブフィールドに基づいて決定されたスロットでアクセスを行うステップと、
を含み、
前記ＳＴＡが前記ＲＡＷグループに属するか否かは、前記ＳＴＡのＡＩＤ（Ａｓｓｏｃｉａｔｉｏｎ  Ｉｄｅｎｔｉｆｉｅｒ）がＡＩＤ範囲に含まれるか否かによって決定され、
前記ＲＡＷ割当てフィールドが前記ＲＰＳ要素の最初のＲＡＷ割当てフィールドである場合、前記ＲＡＷ割当てフィールドは、前記ＡＩＤ範囲がトラフィック指示マップ（ＴＩＭ）ビットマップによって決定されるか否かを示すサブフィールドを含む、アクセス実行方法。
【請求項２】
前記ＲＡＷ割当てフィールドが前記ＲＰＳ要素の最初のＲＡＷ割当てフィールドであり、前記ＡＩＤ範囲がＴＩＭビットマップによって決定されるか否かを示す前記サブフィールドが１に設定された場合、前記ＡＩＤ範囲は、ＴＩＭビットマップによって決定される、請求項１に記載のアクセス実行方法。
【請求項３】
前記ＡＩＤ範囲を前記ＴＩＭビットマップにより決定するステップは、前記ＡＩＤ範囲を、前記ビーコンフレームの全てのＴＩＭビットマップのＡＩＤ範囲と同一に設定するステップを含む、請求項１に記載のアクセス実行方法。
【請求項４】
前記ＡＩＤ範囲がＴＩＭビットマップによって決定されるか否かを示す前記サブフィールドは、同一グループ指示（Ｓａｍｅ  Ｇｒｏｕｐ  Ｉｎｄｉｃａｔｉｏｎ）サブフィールドである、請求項１に記載のアクセス実行方法。
【請求項５】
前記最初のＲＡＷ割当てフィールドの前記サブフィールドが、前記ＡＩＤ範囲がＴＩＭビットマップにより決定されることを示す場合、前記ＲＡＷ割当てフィールドは、ＲＡＷグループサブフィールドを含まない、請求項１に記載のアクセス実行方法。
【請求項６】
前記ＲＡＷ割当てフィールドが前記ＲＰＳ要素の最初のＲＡＷ割当てフィールドであり、前記ＡＩＤ範囲がＴＩＭビットマップによって決定されるか否かを示すサブフィールドが０に設定された場合、前記ＡＩＤ範囲は、ＲＡＷグループフィールドによって決定される、請求項１に記載のアクセス実行方法。
【請求項７】
前記ＡＩＤ範囲がＴＩＭビットマップによって決定されるか否かを示すサブフィールドと同一のサブフィールドに含まれたオプション（Ｏｐｔｉｏｎｓ）値は、０に設定される、請求項１に記載のアクセス実行方法。
【請求項８】
前記ＡＩＤ範囲に含まれるＳＴＡは、前記ＳＴＡが前記ＴＩＭビットマップでページされなくとも前記アクセスの実行が許容される、請求項７に記載のアクセス実行方法。
【請求項９】
前記ＴＩＭビットマップは、前記ビーコンフレームに含まれる、請求項１に記載のアクセス実行方法。
【請求項１０】
前記ＲＡＷ割当てフィールドが前記ＲＰＳ要素の二番目以降のＲＡＷ割当てフィールドであり、同一グループ指示が１に設定された場合、前記ＲＡＷ割当てフィールドは、ＲＡＷグループフィールドを含まない、請求項１に記載のアクセス実行方法。
【請求項１１】
無線通信システムにおいて媒体（ｍｅｄｉｕｍ）にアクセスを実行するＳＴＡ（Ｓｔａｔｉｏｎ）装置であって、
送受信モジュールと、
プロセッサと、
を備え、
前記プロセッサは、ビーコンフレームのＲＡＷ（Ｒｅｓｔｒｉｃｔｅｄ  Ａｃｃｅｓｓ  Ｗｉｎｄｏｗ）パラメータセット（ＲＰＳ）要素に含まれた、ＲＡＷ割当て（Ｒｅｓｔｒｉｃｔｅｄ  Ａｃｃｅｓｓ  Ｗｉｎｄｏｗ  Ａｓｓｉｇｎｍｅｎｔ）フィールドを確認し、前記ＳＴＡが前記ＲＡＷ割当てフィールドに関連したＲＡＷグループに属する場合、前記ＲＡＷ割当てフィールドのサブフィールドに基づいて決定されたスロットでアクセスを実行し、
前記ＲＡＷグループに属するか否かは、前記ＳＴＡのＡＩＤ（Ａｓｓｏｃｉａｔｉｏｎ  Ｉｄｅｎｔｉｆｉｅｒ）がＡＩＤ範囲に含まれるか否かによって決定され、
前記ＲＡＷ割当てフィールドが前記ＲＰＳ要素の最初のＲＡＷ割当てフィールドである時、前記ＲＡＷ割当てフィールドは、前記ＡＩＤ範囲がトラフィック指示マップ（ＴＩＭ）ビットマップによって決定されるか否かを示すサブフィールドを含む、ＳＴＡ装置。
【国際調査報告】
2016521039.tif 000038
2016521039.tif 000039
2016521039.tif 000040
2016521039.tif 000041